(57)【要約】【課題】ＯＬＴ装置がＯＮＵ装置に拡張的な機能を適切に実行可能なＰＯＮシステム、ＯＮＵ装置、ＰＯＮシステムにおける拡張機能実行方法および拡張機能実行プログラムを得ること。【解決手段】ＰＯＮシステム１０は、ディスカバリ・プロセスを実行するディスカバリ・プロセス実行手段と、ディスカバリ・プロセスの実行に合わせて、機能拡張用通信路をこれら配下の装置に対して形成し、それぞれ固有の機能拡張用識別子を与える機能拡張用通信路形成手段と、機能拡張用識別子と拡張機能識別子を組み込んで配下の装置の１つを宛先にして機能拡張用フレームを送出する送出手段とを備えたＯＬＴ装置１１と、ＯＬＴ装置１１から機能拡張用フレームが送られてきたとき機能拡張用識別子が自装置の機能拡張用識別子と一致する場合に拡張機能識別子を抽出して拡張した機能を実行する拡張機能実行手段とを備えた複数のＯＮＵ装置１２とを備えている。【選択図】図１
2010141487.tif 000002
【特許請求の範囲】
【請求項１】
光カプラを介してスター接続される複数の配下の装置に対して通信経路を設定するディスカバリ・プロセスを実行するディスカバリ・プロセス実行手段と、このディスカバリ・プロセス実行手段によるディスカバリ・プロセスの実行に合わせて、機能拡張用通信路をこれら複数の配下の装置に対して形成し、それぞれ固有の機能拡張用識別子をこれらの装置に与える機能拡張用通信路形成手段と、この機能拡張用通信路形成手段によって機能拡張用通信路が形成された複数の配下の装置のうちのいずれかに対してその装置に与えた前記機能拡張用識別子を組み込んだ機能拡張用フレームを作成する機能拡張用フレーム作成手段と、この機能拡張用フレーム作成手段によって作成した機能拡張用フレームに拡張した機能を表わす拡張機能識別子を組み込んで前記機能拡張用通信路に前記複数の配下の装置のうちの１つを宛先にして送出する機能拡張用フレーム送出手段とを備えたＯＬＴ装置と、
前記配下の装置であって、前記ＯＬＴ装置から前記機能拡張用フレームが送られてきたときこれを受信する機能拡張用フレーム受信手段と、この機能拡張用フレーム受信手段の受信した機能拡張用フレームから前記機能拡張用識別子を抽出してこれが自装置に前記ＯＬＴ装置から与えられた前記機能拡張用識別子と一致するかを比較する機能拡張用識別子比較手段と、この機能拡張用識別子比較手段が一致すると判別したとき前記機能拡張用フレーム受信手段の受信した機能拡張用フレームから前記拡張機能識別子を抽出する拡張機能識別子抽出手段と、この拡張機能識別子抽出手段によって抽出した拡張機能識別子の示す拡張した機能を実行する拡張機能実行手段とを備えた複数のＯＮＵ装置
とを具備することを特徴とするＰＯＮシステム。
【請求項２】
光カプラを介してスター接続される複数の配下の装置に対して通信経路を設定するディスカバリ・プロセスを実行するディスカバリ・プロセス実行手段と、このディスカバリ・プロセス実行手段によるディスカバリ・プロセスの実行に合わせて、機能拡張用通信路をこれら複数の配下の装置に対して形成し、それぞれ固有の機能拡張用識別子をこれらの装置に与える機能拡張用通信路形成手段と、この機能拡張用通信路形成手段によって機能拡張用通信路が形成された前記複数の配下の装置のうちのいずれかに対してその装置に与えた前記機能拡張用識別子を組み込んだ機能拡張用フレームを作成する機能拡張用フレーム作成手段と、この機能拡張用フレーム作成手段によって作成した機能拡張用フレームに前記配下の装置に個々に備えられた信号送出用の発光手段の発光を停止させる発光停止コマンドと、これらの発光手段の発光が前記発光停止コマンドによって停止した後に発光を許可する発光許可コマンドのいずれかを選択して組み込んで前記機能拡張用通信路に前記複数の配下の装置のうちの１つを宛先にして送出する機能拡張用フレーム送出手段とを備えたＯＬＴ装置と、
前記配下の装置であって、前記ＯＬＴ装置から前記機能拡張用フレームが送られてきたときこれを受信する機能拡張用フレーム受信手段と、この機能拡張用フレーム受信手段の受信した機能拡張用フレームから前記機能拡張用識別子を抽出してこれが自装置に前記ＯＬＴ装置から与えられた前記機能拡張用識別子と一致するかを比較する機能拡張用識別子比較手段と、この機能拡張用識別子比較手段が一致すると判別したとき前記機能拡張用フレーム受信手段の受信した機能拡張用フレームからコマンドを抽出するコマンド抽出手段と、このコマンド抽出手段によって抽出したコマンドが前記発光停止コマンドであるとき自装置の前記発光手段の発光を停止させる発光停止手段と、この発光停止手段が前記発光手段の発光を停止させた以後も前記機能拡張用フレーム受信手段を構成する受光手段が受光可能な状態を維持している間、前記機能拡張用通信路を保持することでこの受光手段による受光機能を保持する機能拡張用通信路保持手段と、前記コマンド抽出手段によって抽出したコマンドが前記発光許可コマンドであるとき自装置の前記発光手段の発光が前記発光停止手段によって停止した状態のときこれを発光可能な状態に復帰させる発光復帰手段とを備えた複数のＯＮＵ装置
とを具備することを特徴とするＰＯＮシステム。
【請求項３】
光信号から構成されるフレームを、自装置に割り当てられた時間帯でＯＬＴ装置宛に送信するために発光制御を行う発光手段と、
前記ＯＬＴ装置から前記発光手段の発光自体を停止させるための発光停止コマンドや発光停止後に発光制御を許可する発光許可コマンド等のコマンドのいずれかを組み込んだ機能拡張用フレームを受信する機能拡張用フレーム受信手段と、
この機能拡張用フレーム受信手段が受信した機能拡張用フレームが自装置宛であるときこれを自装置に取り込んで前記コマンドを抽出するコマンド抽出手段と、
前記発光手段の発光制御による前記ＯＬＴ装置宛の通信のオン・オフを制御する上り方向通信制御スイッチと、
前記コマンド抽出手段が前記発光停止コマンドを抽出したとき前記上り方向通信制御スイッチをオフにして前記フレームの通信を停止する一方、前記コマンド抽出手段が前記発光許可コマンドを抽出したとき前記上り方向通信制御スイッチをオンにして前記フレームの通信を許可する上り方向通信制御スイッチ制御手段
とを具備することを特徴とするＯＮＵ装置。
【請求項４】
前記上り方向通信制御スイッチは、前記発光手段を構成する発光ダイオードの駆動電源をオン・オフするスイッチであることを特徴とする請求項３記載のＯＮＵ装置。
【請求項５】
前記上り方向通信制御スイッチは、前記発光手段を構成する発光ダイオードのドライバ回路に対する電源供給スイッチをオン・オフするスイッチであることを特徴とする請求項３記載のＯＮＵ装置。
【請求項６】
前記機能拡張用フレームが自装置宛であるか否かは、ＯＬＴ装置から機能拡張用のマルチキャスト・ＬＬ  ＩＤ（Logical Link identifier）宛または、ブロードキャスト・ＬＬ  ＩＤ宛のフレームに組み込まれるＯＮＵ  ＩＤによって判別することを特徴とする請求項３記載のＯＮＵ装置。
【請求項７】
光カプラを介してスター接続される複数の配下の装置に対して通信経路を設定するディスカバリ・プロセスをＯＬＴ装置で実行するディスカバリ・プロセス実行ステップと、
このディスカバリ・プロセス実行ステップによるディスカバリ・プロセスの実行に合わせて、機能拡張用通信路をこれら配下の装置としてのＯＮＵ装置に対して形成し、それぞれ固有の機能拡張用識別子をこれらの装置に与える機能拡張用通信路形成ステップと、
この機能拡張用通信路形成ステップによって機能拡張用通信路が形成された装置のうちのいずれかに対してその装置に与えた前記機能拡張用識別子を組み込んだ機能拡張用フレームを作成する機能拡張用フレーム作成ステップと、
この機能拡張用フレーム作成ステップによって作成した機能拡張用フレームに拡張した機能を表わす拡張機能識別子を組み込んで前記機能拡張用通信路に前記配下の装置のうちの１つを宛先にして送出する機能拡張用フレーム送出ステップと、
前記配下の装置としてのＯＮＵ装置において、前記ＯＬＴ装置から前記機能拡張用フレーム送出ステップで機能拡張用フレームが送られてきたときこれを受信する機能拡張用フレーム受信ステップと、
この機能拡張用フレーム受信ステップで受信した機能拡張用フレームから前記機能拡張用識別子を抽出してこれが自装置に前記ＯＬＴ装置から与えられた前記機能拡張用識別子と一致するかを比較する機能拡張用識別子比較ステップと、
この機能拡張用識別子比較ステップで比較結果が一致すると判別したとき前記機能拡張用フレーム受信ステップで受信した機能拡張用フレームから前記拡張機能識別子を抽出する拡張機能識別子抽出ステップと、
この拡張機能識別子抽出ステップによって抽出した拡張機能識別子の示す拡張した機能を前記配下の装置の１つとしてのＯＮＵ装置で実行する拡張機能実行ステップ
とを具備することを特徴とするＰＯＮシステムにおける拡張機能実行方法。
【請求項８】
光カプラを介してスター接続される複数の配下の装置に対して通信経路を設定するディスカバリ・プロセスをＯＬＴ装置で実行するディスカバリ・プロセス実行ステップと、
このディスカバリ・プロセス実行ステップによるディスカバリ・プロセスの実行に合わせて、機能拡張用通信路をこれら配下の装置としてのＯＮＵ装置に対して形成し、それぞれ固有の機能拡張用識別子をこれらの装置に与える機能拡張用通信路形成ステップと、
この機能拡張用通信路形成ステップによって機能拡張用通信路が形成された装置のうちのいずれかに対してその装置に与えた前記機能拡張用識別子を組み込んだ機能拡張用フレームを作成する機能拡張用フレーム作成ステップと、
この機能拡張用フレーム作成ステップによって作成した機能拡張用フレームに前記配下の装置に個々に備えられた信号送出用の発光手段の発光を停止させる発光停止コマンドと、これらの発光手段の発光が前記発光停止コマンドによって停止した後に発光を許可する発光許可コマンドのいずれかを選択して組み込んで前記機能拡張用通信路に前記配下の装置のうちの１つを宛先にして送出する機能拡張用フレーム送出ステップと、
前記配下の装置の１つとしてのＯＮＵ装置において、前記ＯＬＴ装置から前記機能拡張用フレームが送られてきたときこれを受信する機能拡張用フレーム受信ステップと、
この機能拡張用フレーム受信ステップで受信した機能拡張用フレームから前記機能拡張用識別子を抽出してこれが自装置に前記ＯＬＴ装置から与えられた前記機能拡張用識別子と一致するかを比較する機能拡張用識別子比較ステップと、
この機能拡張用識別子比較ステップで比較結果が一致すると判別したとき前記機能拡張用フレーム受信ステップで受信した機能拡張用フレームからコマンドを抽出するコマンド抽出ステップと、
このコマンド抽出ステップによって抽出したコマンドが前記発光停止コマンドであるとき自装置の前記発光手段の発光を停止させる発光停止ステップと、
この発光停止ステップで前記発光手段の発光を停止させた以後も発光を受光可能な状態を維持している間、前記機能拡張用通信路を保持することでこの受光手段による受光機能を保持する機能拡張用通信路保持ステップと、
前記コマンド抽出ステップによって抽出したコマンドが前記発光許可コマンドであるとき自装置の前記発光手段の発光が前記発光停止ステップによって停止した状態のときこれを発光可能な状態に復帰させる発光復帰ステップ
とを具備することを特徴とするＰＯＮシステムにおける拡張機能実行方法。
【請求項９】
ＯＬＴ装置のコンピュータが、
光カプラを介してスター接続される配下の複数のＯＮＵ装置に対して通信経路を設定するディスカバリ・プロセスを実行するディスカバリ・プロセス実行処理と、
このディスカバリ・プロセス実行処理によるディスカバリ・プロセスの実行に合わせて、機能拡張用通信路を前記配下の複数のＯＮＵ装置に対して形成し、それぞれ固有の機能拡張用識別子をこれらの装置に与える機能拡張用通信路形成処理と、
この機能拡張用通信路形成処理によって機能拡張用通信路が形成された複数のＯＮＵ装置のうちのいずれかに対してその装置に与えた前記機能拡張用識別子を組み込んだ機能拡張用フレームを作成する機能拡張用フレーム作成処理と、
この機能拡張用フレーム作成処理によって作成した機能拡張用フレームに前記配下の装置に個々に備えられた信号送出用の発光手段の発光を停止させる発光停止コマンドと、これらの発光手段の発光が前記発光停止コマンドによって停止した後に発光を許可する発光許可コマンドのいずれかを選択して組み込んで前記機能拡張用通信路に前記配下の装置の１つを宛先にして送出することで、その装置の前記発光手段の発光の停止または許可を指示する機能拡張用フレーム送出処理
とを実行させることを特徴とするＰＯＮシステムにおける拡張機能実行プログラム。
【請求項１０】
ＯＬＴ装置と光カプラを介してスター接続されるＯＮＵ装置のコンピュータが、
ＯＬＴ装置がディスカバリ・プロセス実行処理によるディスカバリ・プロセスの実行に合わせて形成した機能拡張用通信路に対する自装置としてのＯＮＵ装置に固有の機能拡張用識別子を与えたときこれを保持する機能拡張用識別子保存処理と、
ＯＬＴ装置が前記機能拡張用識別子を組み込んだ機能拡張用フレームを送ってきたとき、この機能拡張用フレームから前記機能拡張用識別子を抽出してこれが自装置に保存している前記機能拡張用識別子と一致するかを比較する機能拡張用識別子比較処理と、
この機能拡張用識別子比較処理で比較結果が一致すると判別したときこの拡張用フレームからコマンドを抽出するコマンド抽出処理と、
このコマンド抽出処理によって抽出したコマンドを自装置で実行するコマンド実行処理
とを実行させることを特徴とするＰＯＮシステムにおける拡張機能実行プログラム。
【発明の詳細な説明】
【技術分野】
【０００１】
本発明は、ＰＯＮシステム、ＯＮＵ装置、ＰＯＮシステムにおける拡張機能実行方法および拡張機能実行プログラムに関する。
【背景技術】
【０００２】
ＯＬＴ（Optical Line Terminal）装置と複数のＯＮＵ（Optical Network Unit）装置とを、光カプラを介して光ファイバ伝送路により接続したＰＯＮ（Passive Optical Network）システムは、本発明の第１の関連技術として知られている（たとえば特許文献１参照）。
【０００３】
図２３は、本発明の第１の関連技術におけるＧＥ−ＰＯＮシステムの構成の一例を表わしたものである。この第１の関連技術におけるＧＥ−ＰＯＮ（Gigabit Ethernet（登録商標） Passive Optical Network）システム１００は、上位機器１０１に接続されたＯＬＴ装置１０２と、このＯＬＴ装置１０２とカプラ１０３を接続する光ファイバケーブル１０４と、カプラ１０３と第１〜第３のＯＮＵ装置１０５1〜１０５3をそれぞれ接続する第１〜第３の光ファイバケーブル１０６1〜１０６3と、第１〜第３のＯＮＵ装置１０５1〜１０５3に１台ずつ個別に接続された第１〜第３の端末機器１０７1〜１０７3とで構成されている。
【０００４】
ここでＯＬＴ装置１０２は、双方向のフレームを一時的に格納するフレームバッファ部１１１と、このフレームバッファ部１１１と上位機器１０１の間で相互に転送する信号の形式を変換するＳＮＩ（Service Node Interface）終端部１１２と、ＰＯＮ終端部１１３と、このＰＯＮ終端部１１３と光ファイバケーブル１０４の間に配置され光信号と電気信号を相互に変換する光・電気変換部１１４と、ＧＥ−ＰＯＮシステム１００の保守および制御を行うシステム制御部１１５を備えている。ＰＯＮ終端部１１３は、光・電気変換部１１４とフレームを相互に転送し、フレーム内に含まれるＬＬ  ＩＤ（Logical Link identifier）を検出するＬＬ  ＩＤ識別部１２１と、このＬＬ  ＩＤ識別部１２１と各々のフレームを相互に転送し、フレームの送信源または、宛先となるＭＡＣ（Media Access Control）部１２３〜１２６と、これらＭＡＣ部１２３〜１２６と各々のフレームを相互に転送し、第１〜第３のＯＮＵ装置１０５1〜１０５3とのリンク設定と上り通信の制御を行うと共にフレームバッファ部１１１と相互にフレームを転送するＭＰＣＰ（multi-point control protocol）部１２８と、ＭＰＣＰ部１２８と相互にＯＡＭ（operations，administration，maintenance）フレームを転送し、ＯＡＭフレームの解析および生成を行うと共にシステム制御部１１５とも信号を相互に転送するＯＡＭ部１２９とから構成されている。
【０００５】
第１〜第３のＯＮＵ装置１０５1〜１０５3は、これらの構成が実質的に互いに同一となっている。そこで第１のＯＮＵ装置１０５1の構成を代表的に説明する。第１のＯＮＵ装置１０５1は、光信号と電気信号を相互に変換する光・電気変換部１４１と、この光・電気変換部１４１とフレームを相互に転送するＰＯＮ終端部１４２と、このＰＯＮ終端部１４２と一端を接続しフレームを一時的に格納するフレームバッファ部１４３と、このフレームバッファ部１４３と相互に転送する信号の形式と、第１の端末機器１０７1と相互に転送する信号の形式を変換するＵＮＩ（User Network Interface）終端部１４４と、ＰＯＮ終端部１４２と信号を相互に転送し、ＧＥ−ＰＯＮシステムの保守や制御を行う制御回路１４５を備えている。ここでＰＯＮ終端部１４２は、光・電気変換部１４１とフレームを相互に転送し、フレーム内に含まれるＬＬ  ＩＤを検出するＬＬ  ＩＤ識別部１５１と、このＬＬ  ＩＤ識別部１５１と各々のフレームを相互に転送し、フレームの送信源または、宛先となるＭＡＣ部１５３、１５４と、これらＭＡＣ部１５３、１５４と各々のフレームを相互に転送し、ＯＬＴ装置１０２とのリンク設定と上り通信の制御を行うＭＰＣＰ部１５６と、このＭＰＣＰ部１５６と相互にフレームを転送し、ＯＡＭフレームの解析と生成を行うＯＡＭ部１５７から構成されている。
【０００６】
この図２３に示したＧＥ−ＰＯＮシステム１００では、１台のＯＬＴ装置１０２に対して複数のＯＮＵ装置１０５（図では第１〜第３のＯＮＵ装置１０５1〜１０５3として示している。）が接続されるＰ２ＭＰ（Point to Multipoint）形態を採っている。しかしながら、論理的にはＯＬＴ装置１０２のＭＡＣ部１２３と第１のＯＮＵ装置１０５1のＭＡＣ部１５３とがＬＬ  ＩＤによって、Ｐ２Ｐ（Peer to Peer）形態で接続されてフレームの転送が可能になる。
【０００７】
ＯＬＴ装置１０２のＭＡＣ下り通信で、ＯＬＴ装置１０２から送信されるフレームは、ＧＥ−ＰＯＮシステム１００の特徴によりブロードキャスト形態で全ＯＮＵ装置としての第１〜第３のＯＮＵ装置１０５1〜１０５3に対して送信される。第１〜第３のＯＮＵ装置１０５1〜１０５3はフレームを受信すると、その中に埋め込まれているＬＬ  ＩＤを識別する。そして自装置宛のフレームのみを取り込み、自装置宛でないフレームを廃棄する。一方、上り通信では、第１〜第３のＯＮＵ装置１０５1〜１０５3からのフレームがカプラ１０３を介して１本の光ファイバケーブル１０４に集まる。このため、第１〜第３のＯＮＵ装置１０５1〜１０５3の送信タイミングが重なると、光ファイバケーブル１０４でこれらのフレームが互いに干渉してしまう。
【０００８】
そこで、ＧＥ−ＰＯＮシステム１００で上り通信における各フレームの送信タイミングは、ＭＰＣＰ部１２８によって制御されるようになっている。すなわちＯＬＴ装置１０２内のＭＰＣＰ部１２８は、ディスカバリ（Discovery）プロセスによって、ＯＬＴ装置１０２とＯＮＵ装置１０５の間の通信経路（ロジカルリンク）が設定されると、各ＬＬ  ＩＤ宛に送信許可タイミングと許可期間を示すゲート（Gate）フレームを周期的に送信する。たとえば第１のＯＮＵ装置１０５1内のＭＰＣＰ部１５６は、受信したゲートフレームに指示された時刻と期間内に、上りデータまたは、フレームバッファ部１４３に格納されているフレーム量を計算する。そして、送信したいフレーム量をＯＬＴ装置１０２内のＭＰＣＰ部１２８に通知するレポート（Report）フレームを送信する。ここでＭＰＣＰ部１２８は、ゲートフレームに対する第１のＯＮＵ装置１０５1内のＭＰＣＰ部１５６からのフレームを受信できない場合には、ゲートメッセージに対する応答がないものとして、ＬＬ  ＩＤを破棄し、ロジカルリンクを切断してしまう。
【０００９】
このような第１の関連技術によるＧＥ−ＰＯＮシステム１００では、第１のＯＮＵ装置１０５1が故障し、常時発光をしてしまう状況になると、光ファイバケーブル１０４が占有されて、第２、第３のＯＮＵ装置１０５2、１０５3が通信不能になる可能性がある。このような事態を防止するために、ＯＬＴ装置１０２側からの遠隔操作で、第１のＯＮＵ装置１０５1の発光を停止させることが、本発明の第２の関連技術として提案されている（たとえば特許文献２参照）。
【００１０】
この第２の関連技術では、図２３を援用すると、ＯＬＴ装置１０２側で異常を検出した場合に、第１のＯＮＵ装置１０５1に対してコマンドを送付する。このコマンドを受信した第１のＯＮＵ装置１０５1は、データを加工して、システム管理者の権限によって発光を停止させるようにしたり、光・電気変換部１４１の電源を停止させたりすることによって、発光を停止するようにしている。
【特許文献１】特開２００７−２８１９７９号公報（第００１４段落、図３）
【特許文献２】特開２００８−２８４５１号公報（第００４３段落、第００４４段落、図６、図７）
【発明の開示】
【発明が解決しようとする課題】
【００１１】
しかしながら、この第２の関連技術を用いた場合、どのＯＮＵ装置１０５が常時発光しているかの特定が困難であるという問題がある。たとえば、システム管理者が第１のＯＮＵ装置１０５1を常時発光している可能性のある装置として推察し、この第１のＯＮＵ装置１０５1に対して発光停止コマンドを送付して、発光を強制的に停止させる処理を行ったとする。この状況で他の第２、第３のＯＮＵ装置１０５2、１０５3についての回線の状況が改善されれば、そのときに発光を停止させる処理を行った第１のＯＮＵ装置１０５1が常時発光していたＯＮＵ装置１０５であると特定することができる。ところが、第２、第３のＯＮＵ装置１０５2、１０５3についての回線の状況に改善がみられなかったとすると、第１のＯＮＵ装置１０５1は発光に関して正常であることになる。この場合、ＯＬＴ装置１０２は第１のＯＮＵ装置１０５1の発光を再度、許可させる必要がある。
【００１２】
しかしながら、この段階でＯＬＴ装置１０２と第１のＯＮＵ装置１０５1の間のロジカルリンクが切断されてしまっている。このため、ＯＬＴ装置１０２から第１のＯＮＵ装置１０５1に対して発光を許可させるコマンドを送付することができない。したがって、第１のＯＮＵ装置１０５1の発光機能を復旧させるためには、ユーザが第１のＯＮＵ装置１０５1の電源の再起動を行うか、第１のＯＮＵ装置１０５1への保守者の派遣が必要となり、非効率的である。
【００１３】
一方、ＯＬＴ装置１０２が第１のＯＮＵ装置１０５1の発光を停止させる処理を行った結果、第１のＯＮＵ装置１０５1が常時発光していた装置であると特定することができたものとする。この場合、第２、第３のＯＮＵ装置１０５2、１０５3は通信を開始することができる。しかしながら、第１のＯＮＵ装置１０５1のユーザは、ＧＥ−ＰＯＮシステム１００の障害の事実を知らない状況で、単に自分の所持する第１のＯＮＵ装置１０５1が発光しなくなったという不具合を認識するだけである。そこで、第１のＯＮＵ装置１０５1のユーザがこの不具合を解消させるために第１のＯＮＵ装置１０５1の電源を再起動したとする。すると第１のＯＮＵ装置１０５1は、元々何らかの障害で常時発光する状態となっていたので、再起動によって、再びＯＬＴ装置１０２からコマンドを受信するまで、常時発光状態に陥ることになる。この結果、ＧＥ−ＰＯＮシステム１００は元の障害状態に戻ることになり、ＯＬＴ装置１０２が第１のＯＮＵ装置１０５1に対して行った発光を停止させるための処理が全く無駄になる。
【００１４】
そこで本発明の目的は、ＯＬＴ装置が配下のＯＮＵ装置に対して拡張的な機能を適切に実行させることを可能とするＰＯＮシステム、ＯＮＵ装置、ＰＯＮシステムにおける拡張機能実行方法および拡張機能実行プログラムを提供することにある。
【課題を解決するための手段】
【００１５】
本発明では、（イ）光カプラを介してスター接続される複数の配下の装置に対して通信経路を設定するディスカバリ・プロセスを実行するディスカバリ・プロセス実行手段と、このディスカバリ・プロセス実行手段によるディスカバリ・プロセスの実行に合わせて、機能拡張用通信路をこれら複数の配下の装置に対して形成し、それぞれ固有の機能拡張用識別子をこれらの装置に与える機能拡張用通信路形成手段と、この機能拡張用通信路形成手段によって機能拡張用通信路が形成された複数の配下の装置のうちのいずれかに対してその装置に与えた前記した機能拡張用識別子を組み込んだ機能拡張用フレームを作成する機能拡張用フレーム作成手段と、この機能拡張用フレーム作成手段によって作成した機能拡張用フレームに拡張した機能を表わす拡張機能識別子を組み込んで前記した機能拡張用通信路に前記した複数の配下の装置のうちの１つを宛先にして送出する機能拡張用フレーム送出手段とを備えたＯＬＴ装置と、（ロ）前記した配下の装置であって、前記したＯＬＴ装置から前記した機能拡張用フレームが送られてきたときこれを受信する機能拡張用フレーム受信手段と、この機能拡張用フレーム受信手段の受信した機能拡張用フレームから前記した機能拡張用識別子を抽出してこれが自装置に前記したＯＬＴ装置から与えられた前記した機能拡張用識別子と一致するかを比較する機能拡張用識別子比較手段と、この機能拡張用識別子比較手段が一致すると判別したとき前記した機能拡張用フレーム受信手段の受信した機能拡張用フレームから前記した拡張機能識別子を抽出する拡張機能識別子抽出手段と、この拡張機能識別子抽出手段によって抽出した拡張機能識別子の示す拡張した機能を実行する拡張機能実行手段とを備えた複数のＯＮＵ装置とをＰＯＮシステムが具備する。
【００１６】
また、本発明では、（イ）光カプラを介してスター接続される複数の配下の装置に対して通信経路を設定するディスカバリ・プロセスを実行するディスカバリ・プロセス実行手段と、このディスカバリ・プロセス実行手段によるディスカバリ・プロセスの実行に合わせて、機能拡張用通信路をこれら複数の配下の装置に対して形成し、それぞれ固有の機能拡張用識別子をこれらの装置に与える機能拡張用通信路形成手段と、この機能拡張用通信路形成手段によって機能拡張用通信路が形成された前記した複数の配下の装置のうちのいずれかに対してその装置に与えた前記した機能拡張用識別子を組み込んだ機能拡張用フレームを作成する機能拡張用フレーム作成手段と、この機能拡張用フレーム作成手段によって作成した機能拡張用フレームに前記した配下の装置に個々に備えられた信号送出用の発光手段の発光を停止させる発光停止コマンドと、これらの発光手段の発光が前記した発光停止コマンドによって停止した後に発光を許可する発光許可コマンドのいずれかを選択して組み込んで前記した機能拡張用通信路に前記した複数の配下の装置のうちの１つを宛先にして送出する機能拡張用フレーム送出手段とを備えたＯＬＴ装置と、（ロ）前記した配下の装置であって、前記したＯＬＴ装置から前記した機能拡張用フレームが送られてきたときこれを受信する機能拡張用フレーム受信手段と、この機能拡張用フレーム受信手段の受信した機能拡張用フレームから前記した機能拡張用識別子を抽出してこれが自装置に前記したＯＬＴ装置から与えられた前記した機能拡張用識別子と一致するかを比較する機能拡張用識別子比較手段と、この機能拡張用識別子比較手段が一致すると判別したとき前記した機能拡張用フレーム受信手段の受信した機能拡張用フレームからコマンドを抽出するコマンド抽出手段と、このコマンド抽出手段によって抽出したコマンドが前記した発光停止コマンドであるとき自装置の前記した発光手段の発光を停止させる発光停止手段と、この発光停止手段が前記した発光手段の発光を停止させた以後も前記した機能拡張用フレーム受信手段を構成する受光手段が受光可能な状態を維持している間、前記した機能拡張用通信路を保持することでこの受光手段による受光機能を保持する機能拡張用通信路保持手段と、前記したコマンド抽出手段によって抽出したコマンドが前記した発光許可コマンドであるとき自装置の前記した発光手段の発光が前記した発光停止手段によって停止した状態のときこれを発光可能な状態に復帰させる発光復帰手段とを備えた複数のＯＮＵ装置とをＰＯＮシステムが具備する。
【００１７】
更に本発明では、（イ）光信号から構成されるフレームを、自装置に割り当てられた時間帯でＯＬＴ装置宛に送信するために発光制御を行う発光手段と、（ロ）前記したＯＬＴ装置から前記した発光手段の発光自体を停止させるための発光停止コマンドや発光停止後に発光制御を許可する発光許可コマンド等のコマンドのいずれかを組み込んだ機能拡張用フレームを受信する機能拡張用フレーム受信手段と、（ハ）この機能拡張用フレーム受信手段が受信した機能拡張用フレームが自装置宛であるときこれを自装置に取り込んで前記したコマンドを抽出するコマンド抽出手段と、（ニ）前記した発光手段の発光制御による前記したＯＬＴ装置宛の通信のオン・オフを制御する上り方向通信制御スイッチと、（ホ）前記したコマンド抽出手段が前記した発光停止コマンドを抽出したとき前記した上り方向通信制御スイッチをオフにして前記したフレームの通信を停止する一方、前記したコマンド抽出手段が前記した発光許可コマンドを抽出したとき前記した上り方向通信制御スイッチをオンにして前記したフレームの通信を許可する上り方向通信制御スイッチ制御手段とをＯＮＵ装置が具備する。
【００１８】
また、本発明では、（イ）光カプラを介してスター接続される複数の配下の装置に対して通信経路を設定するディスカバリ・プロセスをＯＬＴ装置で実行するディスカバリ・プロセス実行ステップと、（ロ）このディスカバリ・プロセス実行ステップによるディスカバリ・プロセスの実行に合わせて、機能拡張用通信路をこれら配下の装置としてのＯＮＵ装置に対して形成し、それぞれ固有の機能拡張用識別子をこれらの装置に与える機能拡張用通信路形成ステップと、（ハ）この機能拡張用通信路形成ステップによって機能拡張用通信路が形成された装置のうちのいずれかに対してその装置に与えた前記した機能拡張用識別子を組み込んだ機能拡張用フレームを作成する機能拡張用フレーム作成ステップと、（ニ）この機能拡張用フレーム作成ステップによって作成した機能拡張用フレームに拡張した機能を表わす拡張機能識別子を組み込んで前記した機能拡張用通信路に前記した配下の装置の１つを宛先にして送出する機能拡張用フレーム送出ステップと、（ホ）前記した配下の装置としてのＯＮＵ装置において、前記したＯＬＴ装置から前記した機能拡張用フレーム送出ステップで機能拡張用フレームが送られてきたときこれを受信する機能拡張用フレーム受信ステップと、（へ）この機能拡張用フレーム受信ステップで受信した機能拡張用フレームから前記した機能拡張用識別子を抽出してこれが自装置に前記したＯＬＴ装置から与えられた前記した機能拡張用識別子と一致するかを比較する機能拡張用識別子比較ステップと、（ト）この機能拡張用識別子比較ステップで比較結果が一致すると判別したとき前記した機能拡張用フレーム受信ステップで受信した機能拡張用フレームから前記した拡張機能識別子を抽出する拡張機能識別子抽出ステップと、（チ）この拡張機能識別子抽出ステップによって抽出した拡張機能識別子の示す拡張した機能を前記した配下の装置の１つとしてのＯＮＵ装置で実行する拡張機能実行ステップとをＰＯＮシステムにおける拡張機能実行方法が具備する。
【００１９】
更に、本発明では、（イ）光カプラを介してスター接続される複数の配下の装置に対して通信経路を設定するディスカバリ・プロセスをＯＬＴ装置で実行するディスカバリ・プロセス実行ステップと、（ロ）このディスカバリ・プロセス実行ステップによるディスカバリ・プロセスの実行に合わせて、機能拡張用通信路をこれら配下の装置としてのＯＮＵ装置に対して形成し、それぞれ固有の機能拡張用識別子をこれらの装置に与える機能拡張用通信路形成ステップと、（ハ）この機能拡張用通信路形成ステップによって機能拡張用通信路が形成された装置のうちのいずれかに対してその装置に与えた前記した機能拡張用識別子を組み込んだ機能拡張用フレームを作成する機能拡張用フレーム作成ステップと、（ニ）この機能拡張用フレーム作成ステップによって作成した機能拡張用フレームに前記した配下の装置に個々に備えられた信号送出用の発光手段の発光を停止させる発光停止コマンドと、これらの発光手段の発光が前記した発光停止コマンドによって停止した後に発光を許可する発光許可コマンドのいずれかを選択して組み込んで前記した機能拡張用通信路に前記した配下の装置の１つを宛先にして送出する機能拡張用フレーム送出ステップと、（ホ）前記した配下の装置の１つとしてのＯＮＵ装置において、前記したＯＬＴ装置から前記した機能拡張用フレームが送られてきたときこれを受信する機能拡張用フレーム受信ステップと、（へ）この機能拡張用フレーム受信ステップで受信した機能拡張用フレームから前記した機能拡張用識別子を抽出してこれが自装置に前記したＯＬＴ装置から与えられた前記した機能拡張用識別子と一致するかを比較する機能拡張用識別子比較ステップと、（ト）この機能拡張用識別子比較ステップで比較結果が一致すると判別したとき前記した機能拡張用フレーム受信ステップで受信した機能拡張用フレームからコマンドを抽出するコマンド抽出ステップと、（チ）このコマンド抽出ステップによって抽出したコマンドが前記した発光停止コマンドであるとき自装置の前記した発光手段の発光を停止させる発光停止ステップと、（リ）この発光停止ステップで前記した発光手段の発光を停止させた以後も発光の受光可能な状態を維持している間、前記した機能拡張用通信路を保持することでこの受光手段による受光機能を保持する機能拡張用通信路保持ステップと、（ヌ）前記したコマンド抽出ステップによって抽出したコマンドが前記した発光許可コマンドであるとき自装置の前記した発光手段の発光が前記した発光停止ステップによって停止した状態のときこれを発光可能な状態に復帰させる発光復帰ステップとをＰＯＮシステムにおける拡張機能実行方法が具備する。
【００２０】
また、本発明では、ＯＬＴ装置のコンピュータが、ＰＯＮシステムにおける拡張機能実行プログラムとして、（イ）光カプラを介してスター接続される配下の複数のＯＮＵ装置に対して通信経路を設定するディスカバリ・プロセスを実行するディスカバリ・プロセス実行処理と、（ロ）このディスカバリ・プロセス実行処理によるディスカバリ・プロセスの実行に合わせて、機能拡張用通信路を前記した配下の複数のＯＮＵ装置に対して形成し、それぞれ固有の機能拡張用識別子をこれらの装置に与える機能拡張用通信路形成処理と、（ハ）この機能拡張用通信路形成処理によって機能拡張用通信路が形成された複数のＯＮＵ装置のうちのいずれかに対してその装置に与えた前記した機能拡張用識別子を組み込んだ機能拡張用フレームを作成する機能拡張用フレーム作成処理と、（ニ）この機能拡張用フレーム作成処理によって作成した機能拡張用フレームに前記した配下の装置に個々に備えられた信号送出用の発光手段の発光を停止させる発光停止コマンドと、これらの発光手段の発光が前記した発光停止コマンドによって停止した後に発光を許可する発光許可コマンドのいずれかを選択して組み込んで前記した機能拡張用通信路に前記した配下の装置の１つを宛先にして送出することで、その装置の前記した発光手段の発光の停止または許可を指示する機能拡張用フレーム送出処理とを実行させることを特徴としている。
【００２１】
更に、本発明では、ＯＬＴ装置と光カプラを介してスター接続されるＯＮＵ装置のコンピュータが、ＰＯＮシステムにおける拡張機能実行プログラムとして、（イ）ＯＬＴ装置がディスカバリ・プロセス実行処理によるディスカバリ・プロセスの実行に合わせて形成した機能拡張用通信路に対する自装置としてのＯＮＵ装置に固有の機能拡張用識別子を与えたときこれを保持する機能拡張用識別子保存処理と、（ロ）ＯＬＴ装置が前記した機能拡張用識別子を組み込んだ機能拡張用フレームを送ってきたとき、この機能拡張用フレームから前記した機能拡張用識別子を抽出してこれが自装置に保存している前記した機能拡張用識別子と一致するかを比較する機能拡張用識別子比較処理と、（ハ）この機能拡張用識別子比較処理で比較結果が一致すると判別したときこの拡張用フレームからコマンドを抽出するコマンド抽出処理と、（ニ）このコマンド抽出処理によって抽出したコマンドを自装置で実行するコマンド実行処理とを実行させることを特徴としている。
【発明の効果】
【００２２】
以上説明したように本発明によれば、ＰＯＮシステムにおけるＯＬＴ装置側がディスカバリ・プロセスを実行するときに機能拡張用通信路を配下の複数のＯＮＵ装置に対して形成し、それぞれ固有の機能拡張用識別子をこれらの装置に与えると共に機能拡張用フレームを機能拡張用識別子で特定したＯＮＵ装置に送信することにした。これにより、ＯＮＵ装置に各種の指示を与えることが可能になり、たとえばＯＮＵ装置側の発光手段をオン・オフ制御するといった拡張的な制御をＯＮＵ装置個別に対して行うことが可能になる。
【発明を実施するための最良の形態】
【００２３】
図１は、本発明のＰＯＮシステムのクレーム対応図を示したものである。本発明のＰＯＮシステム１０は、光カプラを介してスター接続される複数の配下の装置に対して通信経路を設定するディスカバリ・プロセスを実行するディスカバリ・プロセス実行手段と、このディスカバリ・プロセス実行手段によるディスカバリ・プロセスの実行に合わせて、機能拡張用通信路をこれら複数の配下の装置に対して形成し、それぞれ固有の機能拡張用識別子をこれらの装置に与える機能拡張用通信路形成手段と、この機能拡張用通信路形成手段によって機能拡張用通信路が形成された複数の配下の装置のうちのいずれかに対してその装置に与えた前記した機能拡張用識別子を組み込んだ機能拡張用フレームを作成する機能拡張用フレーム作成手段と、この機能拡張用フレーム作成手段によって作成した機能拡張用フレームに拡張した機能を表わす拡張機能識別子を組み込んで前記した機能拡張用通信路に前記した複数の配下の装置のうちの１つを宛先にして送出する機能拡張用フレーム送出手段とを備えたＯＬＴ装置１１と、前記した配下の装置であって、ＯＬＴ装置１１から前記した機能拡張用フレームが送られてきたときこれを受信する機能拡張用フレーム受信手段と、この機能拡張用フレーム受信手段の受信した機能拡張用フレームから前記した機能拡張用識別子を抽出してこれが自装置にＯＬＴ装置１１から与えられた前記した機能拡張用識別子と一致するかを比較する機能拡張用識別子比較手段と、この機能拡張用識別子比較手段が一致すると判別したとき前記した機能拡張用フレーム受信手段の受信した機能拡張用フレームから前記した拡張機能識別子を抽出する拡張機能識別子抽出手段と、この拡張機能識別子抽出手段によって抽出した拡張機能識別子の示す拡張した機能を実行する拡張機能実行手段とを備えた複数のＯＮＵ装置１２とを備えている。
【００２４】
図２は、本発明の他のＰＯＮシステムのクレーム対応図を示したものである。本発明の他のＰＯＮシステム２０は、光カプラを介してスター接続される複数の配下の装置に対して通信経路を設定するディスカバリ・プロセスを実行するディスカバリ・プロセス実行手段と、このディスカバリ・プロセス実行手段によるディスカバリ・プロセスの実行に合わせて、機能拡張用通信路をこれら複数の配下の装置に対して形成し、それぞれ固有の機能拡張用識別子をこれらの装置に与える機能拡張用通信路形成手段と、この機能拡張用通信路形成手段によって機能拡張用通信路が形成された前記した複数の配下の装置のうちのいずれかに対してその装置に与えた前記した機能拡張用識別子を組み込んだ機能拡張用フレームを作成する機能拡張用フレーム作成手段と、この機能拡張用フレーム作成手段によって作成した機能拡張用フレームに前記した配下の装置に個々に備えられた信号送出用の発光手段の発光を停止させる発光停止コマンドと、これらの発光手段の発光が前記した発光停止コマンドによって停止した後に発光を許可する発光許可コマンドのいずれかを選択して組み込んで前記した機能拡張用通信路に前記した複数の配下の装置のうちの１つを宛先にして送出する機能拡張用フレーム送出手段とを備えたＯＬＴ装置２１と、前記した配下の装置であって、ＯＬＴ装置２１から前記した機能拡張用フレームが送られてきたときこれを受信する機能拡張用フレーム受信手段と、この機能拡張用フレーム受信手段の受信した機能拡張用フレームから前記した機能拡張用識別子を抽出してこれが自装置にＯＬＴ装置２１から与えられた前記した機能拡張用識別子と一致するかを比較する機能拡張用識別子比較手段と、この機能拡張用識別子比較手段が一致すると判別したとき前記した機能拡張用フレーム受信手段の受信した機能拡張用フレームからコマンドを抽出するコマンド抽出手段と、このコマンド抽出手段によって抽出したコマンドが前記した発光停止コマンドであるとき自装置の前記した発光手段の発光を停止させる発光停止手段と、この発光停止手段が前記した発光手段の発光を停止させた以後も前記した機能拡張用フレーム受信手段を構成する受光手段が受光可能な状態を維持している間、前記した機能拡張用通信路を保持することでこの受光手段による受光機能を保持する機能拡張用通信路保持手段と、前記したコマンド抽出手段によって抽出したコマンドが前記した発光許可コマンドであるとき自装置の前記した発光手段の発光が前記した発光停止手段によって停止した状態のときこれを発光可能な状態に復帰させる発光復帰手段とを備えた複数のＯＮＵ装置２２とを備えている。
【００２５】
図３は、本発明のＯＮＵ装置のクレーム対応図を示したものである。本発明のＯＮＵ装置３０は、光信号から構成されるフレームを、自装置に割り当てられた時間帯でＯＬＴ装置宛に送信するために発光制御を行う発光手段３１と、前記したＯＬＴ装置から発光手段３１の発光自体を停止させるための発光停止コマンドや発光停止後に発光制御を許可する発光許可コマンド等のコマンドのいずれかを組み込んだ機能拡張用フレームを受信する機能拡張用フレーム受信手段３２と、この機能拡張用フレーム受信手段３２が受信した機能拡張用フレームが自装置宛であるときこれを自装置に取り込んで前記したコマンドを抽出するコマンド抽出手段３３と、発光手段３１の発光制御による前記したＯＬＴ装置宛の通信のオン・オフを制御する上り方向通信制御スイッチ３４と、コマンド抽出手段３３が前記した発光停止コマンドを抽出したとき上り方向通信制御スイッチ３４をオフにして前記したフレームの通信を停止する一方、コマンド抽出手段３３が前記した発光許可コマンドを抽出したとき上り方向通信制御スイッチ３４をオンにして前記したフレームの通信を許可する上り方向通信制御スイッチ制御手段３５とを備えている。
【００２６】
図４は、本発明のＰＯＮシステムにおける拡張機能実行方法のクレーム対応図を示したものである。本発明のＰＯＮシステムにおける拡張機能実行方法４０は、光カプラを介してスター接続される複数の配下の装置に対して通信経路を設定するディスカバリ・プロセスをＯＬＴ装置で実行するディスカバリ・プロセス実行ステップ４１と、このディスカバリ・プロセス実行ステップ４１によるディスカバリ・プロセスの実行に合わせて、機能拡張用通信路をこれら配下の装置としてのＯＮＵ装置に対して形成し、それぞれ固有の機能拡張用識別子をこれらの装置に与える機能拡張用通信路形成ステップ４２と、この機能拡張用通信路形成ステップ４２によって機能拡張用通信路が形成された装置のうちのいずれかに対してその装置に与えた前記した機能拡張用識別子を組み込んだ機能拡張用フレームを作成する機能拡張用フレーム作成ステップ４３と、この機能拡張用フレーム作成ステップ４３によって作成した機能拡張用フレームに拡張した機能を表わす拡張機能識別子を組み込んで前記した機能拡張用通信路に前記した配下の装置の１つを宛先にして送出する機能拡張用フレーム送出ステップ４４と、前記した配下の装置としてのＯＮＵ装置において、前記したＯＬＴ装置から機能拡張用フレーム送出ステップ４４で機能拡張用フレームが送られてきたときこれを受信する機能拡張用フレーム受信ステップ４５と、この機能拡張用フレーム受信ステップ４５で受信した機能拡張用フレームから前記した機能拡張用識別子を抽出してこれが自装置に前記したＯＬＴ装置から与えられた前記した機能拡張用識別子と一致するかを比較する機能拡張用識別子比較ステップ４６と、この機能拡張用識別子比較ステップ４６で比較結果が一致すると判別したとき機能拡張用フレーム受信ステップ４５で受信した機能拡張用フレームから前記した拡張機能識別子を抽出する拡張機能識別子抽出ステップ４７と、この拡張機能識別子抽出ステップ４７によって抽出した拡張機能識別子の示す拡張した機能を前記した配下の装置の１つとしてのＯＮＵ装置で実行する拡張機能実行ステップ４８とを備えている。
【００２７】
図５は、本発明の他のＰＯＮシステムにおける拡張機能実行方法のクレーム対応図を示したものである。本発明の他のＰＯＮシステムにおける拡張機能実行方法５０は、光カプラを介してスター接続される複数の配下の装置に対して通信経路を設定するディスカバリ・プロセスをＯＬＴ装置で実行するディスカバリ・プロセス実行ステップ５１と、このディスカバリ・プロセス実行ステップ５１によるディスカバリ・プロセスの実行に合わせて、機能拡張用通信路をこれら配下の装置としてのＯＮＵ装置に対して形成し、それぞれ固有の機能拡張用識別子をこれらの装置に与える機能拡張用通信路形成ステップ５２と、この機能拡張用通信路形成ステップ５２によって機能拡張用通信路が形成された装置のうちのいずれかに対してその装置に与えた前記した機能拡張用識別子を組み込んだ機能拡張用フレームを作成する機能拡張用フレーム作成ステップ５３と、この機能拡張用フレーム作成ステップ５３によって作成した機能拡張用フレームに前記した配下の装置に個々に備えられた信号送出用の発光手段の発光を停止させる発光停止コマンドと、これらの発光手段の発光が前記した発光停止コマンドによって停止した後に発光を許可する発光許可コマンドのいずれかを選択して組み込んで前記した機能拡張用通信路に前記した配下の装置の１つを宛先にして送出する機能拡張用フレーム送出ステップ５４と、前記した配下の装置の１つとしてのＯＮＵ装置において、前記したＯＬＴ装置から前記した機能拡張用フレームが送られてきたときこれを受信する機能拡張用フレーム受信ステップ５５と、この機能拡張用フレーム受信ステップ５５で受信した機能拡張用フレームから前記した機能拡張用識別子を抽出してこれが自装置に前記したＯＬＴ装置から与えられた前記した機能拡張用識別子と一致するかを比較する機能拡張用識別子比較ステップ５６と、この機能拡張用識別子比較ステップ５６で比較結果が一致すると判別したとき前記した機能拡張用フレーム受信ステップで受信した機能拡張用フレームからコマンドを抽出するコマンド抽出ステップ５７と、このコマンド抽出ステップ５７によって抽出したコマンドが前記した発光停止コマンドであるとき自装置の前記した発光手段の発光を停止させる発光停止ステップ５８と、この発光停止ステップで前記した発光手段の発光を停止させた以後も発光の受光可能な状態を維持している間、前記した機能拡張用通信路を保持することでこの受光手段による受光機能を保持する機能拡張用通信路保持ステップ５９と、コマンド抽出ステップ５７によって抽出したコマンドが前記した発光許可コマンドであるとき自装置の前記した発光手段の発光が発光停止ステップ５８によって停止した状態のときこれを発光可能な状態に復帰させる発光復帰ステップ６０とを備えている。
【００２８】
図６は、本発明のＰＯＮシステムにおける拡張機能実行プログラムのクレーム対応図を示したものである。本発明のＰＯＮシステムにおける拡張機能実行プログラム７０は、ＯＬＴ装置のコンピュータが、光カプラを介してスター接続される配下の複数のＯＮＵ装置に対して通信経路を設定するディスカバリ・プロセスを実行するディスカバリ・プロセス実行処理７１と、このディスカバリ・プロセス実行処理７１によるディスカバリ・プロセスの実行に合わせて、機能拡張用通信路を前記した配下の複数のＯＮＵ装置に対して形成し、それぞれ固有の機能拡張用識別子をこれらの装置に与える機能拡張用通信路形成処理７２と、この機能拡張用通信路形成処理７２によって機能拡張用通信路が形成された複数のＯＮＵ装置のうちのいずれかに対してその装置に与えた前記した機能拡張用識別子を組み込んだ機能拡張用フレームを作成する機能拡張用フレーム作成処理７３と、この機能拡張用フレーム作成処理７３によって作成した機能拡張用フレームに前記した配下の装置に個々に備えられた信号送出用の発光手段の発光を停止させる発光停止コマンドと、これらの発光手段の発光が前記した発光停止コマンドによって停止した後に発光を許可する発光許可コマンドのいずれかを選択して組み込んで前記した機能拡張用通信路に前記した配下の装置の１つを宛先にして送出することで、その装置の前記した発光手段の発光の停止または許可を指示する機能拡張用フレーム送出処理７４とを実行させることを特徴としている。
【００２９】
図７は、本発明の他のＰＯＮシステムにおける拡張機能実行プログラムのクレーム対応図を示したものである。本発明の他のＰＯＮシステムにおける拡張機能実行プログラム８０は、ＯＬＴ装置と光カプラを介してスター接続されるＯＮＵ装置のコンピュータが、ＯＬＴ装置がディスカバリ・プロセス実行処理によるディスカバリ・プロセスの実行に合わせて形成した機能拡張用通信路に対する自装置としてのＯＮＵ装置に固有の機能拡張用識別子を与えたときこれを保持する機能拡張用識別子保存処理８１と、ＯＬＴ装置が前記した機能拡張用識別子を組み込んだ機能拡張用フレームを送ってきたとき、この機能拡張用フレームから前記した機能拡張用識別子を抽出してこれが自装置に保存している前記した機能拡張用識別子と一致するかを比較する機能拡張用識別子比較処理８２と、この機能拡張用識別子比較処理８２で比較結果が一致すると判別したときこの拡張用フレームからコマンドを抽出するコマンド抽出処理８３と、このコマンド抽出処理８３によって抽出したコマンドを自装置で実行するコマンド実行処理８４とを実行させることを特徴としている。
【００３０】
＜発明の実施の形態＞
【００３１】
次に本発明の実施の形態を説明する。
【００３２】
図８は、本発明の一実施の形態によるＧＥ−ＰＯＮシステムの構成を表わしたものである。本実施の形態のＧＥ−ＰＯＮシステム２００は、上位機器２０１に接続されたＯＬＴ装置２０２と、このＯＬＴ装置２０２と光カプラ２０３を接続する光ファイバケーブル２０４と、光カプラ２０３と第１〜第３のＯＮＵ装置２０５1〜２０５3をそれぞれ接続する第１〜第３の光ファイバケーブル２０６1〜２０６3と、第１〜第３のＯＮＵ装置２０５1〜２０５3に１台ずつ個別に接続された第１〜第３の端末機器２０７1〜２０７3とで構成されている。
【００３３】
ここでＯＬＴ装置２０２は、双方向のフレームを一時的に格納するフレームバッファ部２１１と、このフレームバッファ部２１１と上位機器２０１の間で相互に転送する信号の形式を変換するＳＮＩ終端部２１２と、ＰＯＮ終端部２１３と、このＰＯＮ終端部２１３と光ファイバケーブル２０４の間に配置され光信号と電気信号を相互に変換する光・電気変換部２１４と、ＧＥ−ＰＯＮシステム２００の保守および制御を行うシステム制御部２１５を備えている。ＰＯＮ終端部２１３は、光・電気変換部２１４とフレームを相互に転送し、フレーム内に含まれるＬＬ  ＩＤを検出するＬＬ  ＩＤ識別部２２１と、このＬＬ  ＩＤ識別部２２１と各々のフレームを相互に転送し、フレームの送信源または、宛先となるＭＡＣ部２２２〜２２６と、ＭＡＣ部２２２と相互にフレームを転送し、ＩＥＥＥ（Institute of Electrical and Electronic Engineers）８０２．３ａｈにおけるＭＰＣＰ部２２８の機能を追加した拡張部２２７と、ＭＡＣ部２２３〜２２６および拡張部２２７と各々のフレームを相互に転送し、第１〜第３のＯＮＵ装置２０５1〜２０５3とのリンク設定と上り通信の制御を行うＭＰＣＰ部２２８と、このＭＰＣＰ部２２８と相互にＯＡＭフレームを転送し、ＯＡＭフレームの解析および生成を行うＯＡＭ部２２９とから構成されている。
【００３４】
第１〜第３のＯＮＵ装置２０５1〜２０５3は、これらの構成が実質的に互いに同一となっている。そこで第１のＯＮＵ装置２０５1の構成を代表的に説明する。第１のＯＮＵ装置２０５1は、光信号と電気信号を相互に変換する光・電気変換部２４１と、この光・電気変換部２４１とフレームを相互に転送するＰＯＮ終端部２４２と、このＰＯＮ終端部２４２と一端を接続しフレームを一時的に格納すると共に他端側との間で相互にフレームを転送するフレームバッファ部２４３と、このフレームバッファ部２４３と相互に転送する信号の形式と、第１の端末機器２０７1と相互に転送する信号の形式を変換するＵＮＩ終端部２４４と、ＰＯＮ終端部２４２と信号を相互に転送し、ＯＮＵ装置２０５1の保守や制御を行う制御回路２４５を備えている。
【００３５】
ここでＰＯＮ終端部２４２は、光・電気変換部２４１とフレームを相互に転送し、フレーム内に含まれるＬＬ  ＩＤを検出するＬＬ  ＩＤ識別部２５１と、このＬＬ  ＩＤ識別部２５１と各々のフレームを相互に転送し、フレームの送信源または、宛先となるＭＡＣ部２５２〜２５４と、ＭＡＣ部２５２と相互にフレームを転送し、ＩＥＥＥ８０２．３ａｈにおけるＭＰＣＰ部２５６の機能を追加した拡張部２５５と、ＭＡＣ部２５３、２５４および拡張部２５５と各々のフレームを相互に転送し、また、ＯＬＴ装置２０２とのリンク設定と上り通信の制御を行うＭＰＣＰ部２５６と、このＭＰＣＰ部２５６と相互にフレームを転送し、ＯＡＭフレームの解析と生成を行うＯＡＭ部２５７から構成されている。
【００３６】
このＧＥ−ＰＯＮシステム２００では、ＯＬＴ装置２０２におけるシステム制御部２１５と、第１〜第３のＯＮＵ装置２０５1〜２０５3における制御回路２４５は、図示しないが共にＣＰＵ（Central Processing Unit）と、ＣＰＵが実行する制御プログラムを格納した同じく図示しないメモリを備えている。ＯＬＴ装置２０２内の各構成部品および第１〜第３のＯＮＵ装置２０５1〜２０５3内の各構成部品は、すべてハードウェアで構成される必要はなく、それらの少なくとも一部が前記した制御プログラムの実行によって得られるソフトウェア的な構成部品で実現されるものであってもよい。
【００３７】
次に、このような構成のＧＥ−ＰＯＮシステム２００の動作を説明する。第１〜第３のＯＮＵ装置２０５1〜２０５3は、共に同一の動作を行うので、ここでは第１のＯＮＵ装置２０５1を例に採って説明を行う。
【００３８】
まずＯＬＴ装置２０２の動作を説明する。下り通信で、光・電気変換部２１４は、ＰＯＮ終端部２１３から送出されてきた電気信号を光信号に変換して、光ファイバケーブル２０４へ送出する。上り通信では、光ファイバケーブル２０４から伝送されてきた光信号を電気信号に変換してＰＯＮ終端部２１３へ転送する。
【００３９】
ＰＯＮ終端部２１３は、ＧＥ−ＰＯＮシステム２００における通信経路の確立と上りフレームの制御を行う。また、下り通信でＰＯＮ終端部２１３は、フレームバッファ部２１１に格納されたフレームと、システム制御部２１５が送信してくる信号から生成したＯＡＭフレームを、順番に光・電気変換部２１４へ転送する。上り通信でＰＯＮ終端部２１３は、光・電気変換部２１４から転送されてきたフレームを解析する。そして、通常のデータ信号の場合、ＰＯＮ終端部２１３はフレームバッファ部２１１にこのフレームを転送し、保守用のＯＡＭフレームの場合はフレーム内部の情報をシステム制御部２１５に転送する。
【００４０】
フレームバッファ部２１１は、下り通信におけるＰＯＮ終端部２１３へのフレームの転送と、上り通信におけるＳＮＩ終端部２１２へのフレームの転送の順番待ちを行う。このため、フレームを一時的に格納しておく。
【００４１】
ＳＮＩ終端部２１２は、下り通信の場合、上位機器２０１から送信されてきたフレームを復号化し、ＰＯＮ終端部２１３が処理できるディジタル信号に変換する。上り通信の場合、ＳＮＩ終端部２１２は、ＰＯＮ終端部２１３から転送されてきたディジタル信号を、上位機器２０１へ伝送するために適した符号化を行って送信する。
【００４２】
システム制御部２１５は、ＧＥ−ＰＯＮシステム２００全体を監視して、システムの制御を行う。第１のＯＮＵ装置２０５1の制御を行う場合、システム制御部２１５は、ＯＡＭ部２２９へ情報を転送して、ＯＡＭフレームを生成させる。また、システム制御部２１５は、ＯＡＭ部２２９にて解析された、第１のＯＮＵ装置２０５1から送信されてきたＯＡＭフレームの情報を読み込んで、適当な制御を行う。
【００４３】
図９は、ＯＬＴ装置とＯＮＵ装置のＰＯＮ終端部を抜き出してこれらの間の信号処理の様子を示したものである。この図９では、図８に示した第１〜第３のＯＮＵ装置２０５1〜２０５3のうちで第１および第２のＯＮＵ装置２０５1、２０５2におけるＰＯＮ終端部２４２を代表的に示している。図８に示した光・電気変換部２１４、２４１や光カプラ２０３の図示は省略している。また、第１のＯＮＵ装置２０５1と第２のＯＮＵ装置２０５2のＰＯＮ終端部２４２の各構成部品を互いに区別するため、第１のＯＮＵ装置２０５1の各構成部品にはそれらの符号に添え字「１」を付し、第２のＯＮＵ装置２０５2の各構成部品にはそれらの符号に添え字「２」を付している。この図９と図８を用いて、ＯＬＴ装置２０２におけるＰＯＮ終端部２１３の内部について具体的に説明する。ただし、説明上の煩雑さを避けるため、以下の文章中で添え字の「１」および「２」の付記は適宜省略する。
【００４４】
ＯＬＴ装置２０２におけるＬＬ  ＩＤ識別部２２１は、第１〜第３のＯＮＵ装置２０５1〜２０５3のいずれか（ここでは第１のＯＮＵ装置２０５1を中心に説明する。）をＧＥ−ＰＯＮシステム２００に登録する際に、配下の第１のＯＮＵ装置２０５1でＬＬ  ＩＤの重複が起こらないようにＬＬ  ＩＤの値を決定し、ＭＡＣ部２２２〜２２６と関連付けて管理する。ＬＬ  ＩＤ識別部２２１は、下り通信の場合に、送信フレームごとに、宛先を判定し、第１のＯＮＵ装置２０５1に対応したＬＬ  ＩＤをフレームのプリアンブル部に埋め込んで光・電気変換部２１４へ転送する。また、ＬＬ  ＩＤ識別部２２１は、上り通信の場合に、光・電気変換部２１４から転送されてきたフレームのプリアンブル部に含まれるＬＬ  ＩＤを検出して送信源を特定し、対応するＭＡＣ部２２２〜２２６に転送する。
【００４５】
ＭＡＣ部２２２〜２２６の内のＭＡＣ部２２２は、マルチキャスト（MULTICAST）ＬＬ  ＩＤ割り当て用としている。ＭＡＣ部２２２は、下り通信の場合、ＭＰＣＰ部２２８から拡張部２２７を経由して転送されてきたフレームをＬＬ  ＩＤ識別部２２１へ転送する。また、ＭＡＣ部２２２は、上り通信の場合、ＬＬ  ＩＤ識別部２２１がＭＡＣ部２２２宛てに転送してきたフレームを、拡張部２２７を経由して、ＭＰＣＰ部２２８へ転送する。
【００４６】
ＭＡＣ部２２３は、通常のＬＬ  ＩＤ割り当て用としている。ＭＡＣ部２２３は、下り通信の場合、ＭＰＣＰ部２２８からのＭＡＣ部２２３を送信源としたフレームをＬＬ  ＩＤ識別部２２１へ転送する。ＭＡＣ部２２３は、上り通信の場合に、ＬＬ  ＩＤ識別部２２１がＭＡＣ部２２３宛に転送してきたフレームをＭＰＣＰ部２２８へ転送する。ＭＡＣ部２２４〜２２６の場合にも、ＭＡＣ部２２３の場合と同様の処理が行われる。
【００４７】
ＭＰＣＰ部２２８は、ＧＥ−ＰＯＮシステムへ接続された第１のＯＮＵ装置２０５1の自動検出を行う。そして、ＭＰＣＰ部２２８は、従来のＬＬ  ＩＤを割り当てるディスカバリ・プロセスを実施して、第１のＯＮＵ装置２０５1を登録する。ＭＰＣＰ部２２８は、上り通信の場合に、第１〜第３のＯＮＵ装置２０５1〜２０５3から送出される信号が衝突しないように、従来の各ＬＬ  ＩＤに対して定期的にゲートフレームを送出して、ＭＡＣ部２２２〜２２６とＭＡＣ部２５２〜２５４間の各通信経路の送信タイミングを制御する。ゲートフレームには送信開始時刻と送信量に関する情報が収納されている。また、ＭＰＣＰ部２２８は、このゲートフレームに対する第１〜第３のＯＮＵ装置２０５1〜２０５3からのレポートフレームを受信することによって、ロジカルリンクを維持する。
【００４８】
ＭＰＣＰ部２２８は、通常の下り通信の場合、ＭＡＣ部２２３〜２２６のいずれかを送信源としてＬＬ  ＩＤ識別部２２１へフレームを転送する。ＭＡＣ部２２２を送信源とするフレームは、拡張部２２７へ転送する。ＭＰＣＰ部２２８は、上り通信の場合、ＭＡＣ部２２３〜２２６や、拡張部２２７から転送されてきたフレームを解析して、上位機器２０１へ送出するフレームをフレームバッファ部２１１へ、ＯＡＭフレームをＯＡＭ部２２９へ転送する。
【００４９】
ＯＡＭ部２２９は、システム制御部２１５からの指示に従って、ＯＡＭフレームの生成を行う。また、ＯＡＭ部２２９は、上りＯＡＭフレームを解析して、その情報をシステム制御部２１５へ転送する。ＯＡＭ部２２９は、また、第１のＯＮＵ装置２０５1の発光停止と、発光許可と、発光の永久停止コマンドを含めたＯＡＭフレームを、ＭＰＣＰ部２２８と、拡張部２２７を経由してＭＡＣ部２２２から第１のＯＮＵ装置２０５1へ転送する。通常のＯＡＭフレームは、拡張部２２７経由のＭＡＣ部２２２または、ＭＡＣ部２２３〜２２６のいずれかを送信源とする。
【００５０】
拡張部２２７は、第１のＯＮＵ装置２０５1がＯＬＴ装置２０２の配下に接続されている限り、保守用のマルチキャスト・ＬＬ  ＩＤを維持させるために、ＭＡＣ部２２２に対してＭＰＣＰ部２２８がＩＥＥＥ８０２．３ａｈに従って制御する機能を拡張する。また、拡張部２２７は、ＯＬＴ装置２０２の配下に接続される第１〜第３のＯＮＵ装置２０５1〜２０５3に対してユニークな識別子としてのＯＮＵ  ＩＤを付与し、このＯＮＵ  ＩＤを管理する。拡張部２２７は、ＯＡＭフレームを送出する際には、ＯＮＵ  ＩＤを付与し、ＭＡＣ部２２２を送信源としてＬＬ  ＩＤ識別部２２１に転送する。
【００５１】
次に、第１のＯＮＵ装置２０５1の各部の動作について図８を用いて説明する。
【００５２】
光・電気変換部２４１は、下り通信の場合、第１の光ファイバケーブル２０６1から伝送されてきた光信号を電気信号に変換してＰＯＮ終端部２４２に転送する。上り通信の場合、光・電気変換部２４１は、ＰＯＮ終端部２４２から転送されてきた電気信号を、ＰＯＮ終端部２４２が許可する期間だけ光信号に変換して、第１の光ファイバケーブル２０６1へ伝送する。
【００５３】
ＰＯＮ終端部２４２は、ＧＥ−ＰＯＮシステム２００における通信経路の確立と上りフレームの制御を行う。また、下り通信でＰＯＮ終端部２４２は、光・電気変換部２４１から転送されてきたフレームを解析し、通常のデータ信号の場合にはフレームバッファ部２４３にこれを転送する。フレームの解析の結果、保守用のＯＡＭフレームの場合、ＰＯＮ終端部２４２は、フレーム内部の情報を制御回路２４５に転送する。ＰＯＮ終端部２４２は上り通信の場合、フレームバッファ部２４３に格納されたフレームと、制御回路２４５が送信してくる信号から生成したＯＡＭフレームを、光・電気変換部２４１へ転送する。
【００５４】
フレームバッファ部２４３は、下り通信におけるＵＮＩ終端部２４４への転送と、上り通信におけるＰＯＮ終端部２４２への転送の順番待ちを行うために、フレームを一時的に格納しておく。
【００５５】
ＵＮＩ終端部２４４は、下り通信の場合、第１の端末機器２０７1へ伝送するために適した符号化を行う。上り通信の場合、ＵＮＩ終端部２４４は、第１の端末機器２０７1から送信されてきた信号を復号化し、ＰＯＮ終端部２４２が処理可能なディジタル信号に変換して、これに転送する。
【００５６】
制御回路２４５は、ＯＡＭフレームに含まれるコマンドに従って、第１のＯＮＵ装置２０５1の制御を行う。
【００５７】
次に、ＰＯＮ終端部２４２の内部について詳細に説明する。
【００５８】
ＬＬ  ＩＤ識別部２５１は、第１のＯＮＵ装置２０５1をＧＥ−ＰＯＮシステム２００に接続する際に与えられたＬＬ  ＩＤと対応するＭＡＣ部２５２〜２５４を関連付けて管理する。下り通信でＬＬ  ＩＤ識別部２５１は、光・電気変換部２４１から受信したフレームのプリアンブル部に含まれるＬＬ  ＩＤを検出して、自装置宛の場合にフレームを透過させ、自装置宛ではない場合、そのフレームを破棄する。上り通信の場合、ＬＬ  ＩＤ識別部２５１は、フレームの送信源のＭＡＣ部に割り当てられたＬＬ  ＩＤをフレームのプリアンブル部に埋め込み、光・電気変換部２１４へ送出する。
【００５９】
ＭＡＣ部２５２は、マルチキャスト・ＬＬ  ＩＤ（図９参照。）割り当て用としている。下り通信の場合、ＭＡＣ部２５２は、ＬＬ  ＩＤ識別部２５１から転送されてきたフレームを、拡張部２５５を経由してＭＰＣＰ部２５６へ転送する。上り通信の場合、ＭＡＣ部２５２は、ＭＰＣＰ部２５６から拡張部２５５を経由して送られてきたＭＡＣ部２５２を送信源としたフレームを、ＬＬ  ＩＤ識別部２５１へ転送する。
【００６０】
ＭＡＣ部２５３は、通常のＬＬ  ＩＤ割り当て用としている。下り通信の場合、ＭＡＣ部２５３は、ＬＬ  ＩＤ識別部２５１からＭＡＣ部２５３宛に転送されてきたフレームをＭＰＣＰ部２５６へ転送する。上り通信では、ＭＰＣＰ部２５６からのＭＡＣ部２５３を送信源としたフレームを、ＬＬ  ＩＤ識別部２５１へ転送する。ＭＡＣ部２５４も、通常のＬＬ  ＩＤ割り当て用としてい、ＭＡＣ部２５３と同様の処理を行う。
【００６１】
ＭＰＣＰ部２５６は、ＧＥ−ＰＯＮシステム２００へ接続するために従来のＬＬ  ＩＤを割り当てるディスカバリ・プロセスにおける処理を行う。また、ＭＰＣＰ部２５６は、従来の各ＬＬ  ＩＤに対してＯＬＴ装置２０２のＰＯＮ終端部２１３内のＭＰＣＰ部２２８から送信されてくるゲートフレームを解析して、決められた時刻および送信量内で、ゲートフレームの宛先ＬＬ  ＩＤと関連付けられたＭＡＣ部２５２〜２５４のいずれかを送信源として、フレームバッファ部２４３に格納されているデータまたは、レポートフレームをＬＬ  ＩＤ識別部２５１へ送信する。下り通信の場合、ＭＰＣＰ部２５６は、ＭＡＣ部２５３、２５４宛のフレームや、拡張部２５５から転送されてきたフレームを解析し、第１の端末機器２０７1へ送出するフレームはフレームバッファ部２４３へ、ＯＡＭフレームはＯＡＭ部２５７へ転送する。
【００６２】
拡張部２５５は、第１のＯＮＵ装置２０５1がＯＬＴ装置２０２の配下に接続されている限り、保守用のマルチキャスト・ＬＬ  ＩＤ（図９参照。）を維持させるために、ＭＡＣ部２５２に対してＭＰＣＰ部２５６がＩＥＥＥ８０２．３ａｈに従って制御する機能を拡張する。また、ＯＬＴ装置２０２のＰＯＮ終端部２１３内の拡張部２２７より与えられたＯＮＵ  ＩＤを管理する。拡張部２５５は、下りＯＡＭフレームを受信する場合、ＯＡＭフレーム内のＯＮＵ  ＩＤを解析し、自装置宛か自装置宛でないかを判別する。自装置宛でない場合、拡張部２５５は、フレームを破棄し、自装置宛の場合、ＭＰＣＰ部２５６へそのフレームを転送する。
【００６３】
ＯＡＭ部２５７は、ＯＬＴ装置２０２のＰＯＮ終端部２１３内のＯＡＭ部２２９から送信されてくるＯＡＭフレームを解析し、制御回路２４５へ転送する。また、ＯＡＭ部２５７は、ＯＡＭ部２２９から送信されてくるＯＡＭフレームや、制御回路２４５からの指示に従って、ＯＡＭフレームの生成を行い、ＭＰＣＰ部２５６へ転送する。
【００６４】
図１０および図１１は、ＯＬＴ装置とＯＮＵ装置の間における通信経路の確立のための処理の様子を示したものである。このうち、図１０は、通常のＬＬ  ＩＤを登録するディスカバリ・プロセスを示しており、従来と同様のものである。図１１は、マルチキャスト・ＬＬ  ＩＤを登録するディスカバリ・プロセスを示しており、本実施の形態独自のものである。これら図１０、図１１と図８を用いてＯＬＴ装置２０２と第１のＯＮＵ装置２０５1における通信経路の確立を詳細に説明する。
【００６５】
まず、図１０に示した通常のＬＬ  ＩＤを登録するディスカバリ・プロセスについて説明する。従来と同様に、本実施の形態のＧＥ−ＰＯＮシステム２００でも、光ファイバケーブル２０４、光カプラ２０３および第１の光ファイバケーブル２０６1を経由して第１のＯＮＵ装置２０５1がＯＬＴ装置２０２に接続されたものとする。この場合、ＯＬＴ装置２０２側のＭＰＣＰ部２２８が定期的に送信するディスカバリ・ゲート（Discovery Gate）・フレームを第１のＯＮＵ装置２０５1が受信する（ステップＳ３０１）。
【００６６】
ＭＰＣＰ部２５６は、この受信からランダム時間待った後、ＭＡＣ部２５３を送信源として、ＬＬ  ＩＤの登録を要求するレジスタ・リクエスト（Register Request）・フレームを送信する（ステップＳ３０２）。レジスタ・リクエスト・フレームを受信したＭＰＣＰ部２２８は、レジスタ（Register）・リクエスト・フレームを送信してきたＭＡＣ部２５３宛にＬＬ  ＩＤを付与するためにレジスタ・フレームを送信する（ステップＳ３０３）。ＭＡＣ部２５３宛のレジスタ・フレームを受信したＭＰＣＰ部２５６は、与えられたＬＬ  ＩＤを、ＭＡＣ部２５３を経由してＬＬ  ＩＤ識別部２５１登録する。その後、ＭＰＣＰ部２２８から送信されてくるゲート（Gate）・フレーム（ステップＳ３０４）によって指示される時刻、期間内に、ＬＬ  ＩＤ登録を完了したことを通知するレジスタ・ＡＣＫ（Register ACK（ACKnowledgement））・フレームを送信する（ステップＳ３０５）。
【００６７】
ＯＬＴ装置２０２と第１のＯＮＵ装置２０５1の間で行われる以上のプロセスによって、ＭＡＣ部２２３とＭＡＣ部２５３の間に通信用のロジカルリンクが確立する。必要であれば、このようなプロセスで、ＭＡＣ部２２４とＭＡＣ部２５４間にも通信用のロジカルリンクが確立する。なお、ＯＬＴ装置２０２と第１〜第３のＯＮＵ装置２０５1〜２０５3には、「ＭＡＣ部」が複数存在する。本実施の形態では、一例としてＯＬＴ装置２０２に５個、第１〜第３のＯＮＵ装置２０５1〜２０５3にそれぞれ３個配置されている。
【００６８】
図１１は、本実施の形態のＧＥ−ＰＯＮシステム２００で従来の図１０に示した機能に付け加えられた拡張的な機能としてのマルチキャスト・ＬＬ  ＩＤを登録するディスカバリ・プロセスを示している。このディスカバリ・プロセスでは、ＯＬＴ装置２０２側のＭＰＣＰ部２２８が定期的に送信するディスカバリ・ゲート・フレームを第１のＯＮＵ装置２０５1が受信する（ステップＳ３２１）。これに対して拡張部２５５は、保守用のマルチキャスト・ＬＬ  ＩＤ割り当て用のＭＡＣ部２５２を送信源として、保守用のマルチキャスト・ＬＬ  ＩＤによる通信経路と、第１〜第３のＯＮＵ装置２０５1〜２０５3に対して１つだけ与えられる、同一ＧＥ−ＰＯＮシステム内で重複することのないユニークな識別子（ＯＮＵ  ＩＤ）を要求するレジスタ・リクエスト・フレームを、送信する（ステップＳ３２２）。
【００６９】
図１２は、このレジスタ・リクエスト・フレームの構成を表わしたものである。レジスタ・リクエスト（Register Request）・フレームは、「Ｐａｄ／Ｒｅｓｅｒｖｅｄ」部の先頭に「Ｍｕｌｔｉｃａｓｔ  ＬＬ  ＩＤ  Ｒｅｑｕｅｓｔ」を割り当て、保守用のマルチキャスト・ＬＬ  ＩＤを要求する値を埋め込むようになっている。ここで「Ｍｕｌｔｉｃａｓｔ  ＬＬ  ＩＤ  Ｒｅｑｕｅｓｔ」と「Ｐａｄ／Ｒｅｓｅｒｖｅｄ」が合わせて３８バイトを超えなければよい。この図１２は、保守用の「Ｍｕｌｔｉｃａｓｔ  ＬＬ  ＩＤ  Ｒｅｑｕｅｓｔ」が１バイトの場合の例を示している。
【００７０】
図８および図１１に戻り説明を続ける。図１１のステップＳ３２２によるレジスタ・リクエスト・フレームを受信したＯＬＴ装置２０２側の拡張部２２７は、レジスタ・リクエスト・フレームを送信してきた第１のＯＮＵ装置２０５1側のＭＡＣ部２５２宛に、保守用のマルチキャスト・ＬＬ  ＩＤの割り当て用のＭＡＣ部２２２を送信源として、あらかじめ決められている保守用のマルチキャスト・ＬＬ  ＩＤとＯＮＵ  ＩＤを付与するためにレジスタ・フレームを送信する（ステップＳ３２３）。同時に拡張部２２７は、ＯＬＴ装置２０２の再起動または、発光許可コマンドの送出または、発光の永久停止コマンドの送出をしない限り、ＯＮＵ  ＩＤとＯＮＵ  ＩＤを割り当てられたＭＡＣ部２５２を関連付けて登録・管理する。ただし、レジスタ・リクエスト・フレームを送信してきたＭＡＣ部２５２と関連付けられているＯＮＵ  ＩＤが既に登録されている場合には、一度クリアしてから保守用のマルチキャスト・ＬＬ  ＩＤとＯＮＵ  ＩＤを付与する。
【００７１】
図１３は、レジスタ・フレームの構成を表わしたものである。この図１３より、従来のレジスタ（Register）・フレームで定義されている「Ａｓｓｉｇｎｅｄ  ｐｏｒｔ」部に、保守用の「ＭｕｌｔｉＣａｓｔ  ＬＬ  ＩＤ」を埋め込み、これに加えて、「Ｐａｄ／Ｒｅｓｅｒｖｅｄ」部の先頭に、「ＯＮＵ  ＩＤ」を埋め込むことになる。ここで「ＯＮＵ  ＩＤ」と「Ｐａｄ／Ｒｅｓｅｒｖｅｄ」が合わせて３４バイトを超えなければよい。
【００７２】
図８および図１１に戻り説明を続ける。ステップＳ３２３でレジスタ・フレームを受信した拡張部２５５は、与えられた保守用のマルチキャスト・ＬＬ  ＩＤを、ＭＡＣ部２５２を経由してＬＬ  ＩＤ識別部２５１に登録する。そして、第１のＯＮＵ装置２０５1の再起動または、発光許可コマンドの受信または、発光の永久停止コマンドの受信をしない限り、拡張部２５５はＯＮＵ  ＩＤを登録・管理する。
【００７３】
以上のプロセスによって、ＯＬＴ装置２０２側のＭＡＣ部２２２と第１のＯＮＵ装置２０５1側のＭＡＣ部２５２の間に保守用のマルチキャスト・ＬＬ  ＩＤによる通信経路が確立する。図８は、ＯＬＴ装置２０２に対して第１〜第３のＯＮＵ装置２０５1〜２０５3が接続され、それぞれの通信経路が同様にして確立された場合を示している。
【００７４】
次に、図８および図９を用いてＯＬＴ装置２０２と第１のＯＮＵ装置２０５1の論理的な通信経路について説明する。
【００７５】
図９を参照すると、前記したプロセスによって確立された論理的な通信経路が示されている。この図９で、ＯＬＴ装置２０２側のＭＡＣ部２２３、２２４と、第１のＯＮＵ装置２０５1側のＭＡＣ部２５３、２５４は、ＯＬＴ装置２０２側のＬＬ  ＩＤ識別部２２１と第１のＯＮＵ装置２０５1側のＬＬ  ＩＤ識別部２５１および、光ファイバケーブル２０４と第１の光ファイバケーブル２０６1を経由して、通信用のＬＬ  ＩＤ＃１〜＃４にてポイント・ツー・ポイントで各々接続される。
【００７６】
一方、保守用のマルチキャスト・ＬＬ  ＩＤを登録するプロセスによって、ＯＬＴ装置２０２側のＭＡＣ部２２２と、第１のＯＮＵ装置２０５1側のＭＡＣ部２５２とがマルチキャスト・ＬＬ  ＩＤにてポイント・ツー・マルチポイントで接続される。光ファイバケーブル２０４および第１の光ファイバケーブル２０６1は、物理的には１本の通信経路であるが、論理的には、複数の通信経路が存在する。図８に示した第２のＯＮＵ装置２０５2も同様の接続構成であり、図９はＯＬＴ装置２０２と第１および第２のＯＮＵ装置２０５1、２０５2における５つの通信経路の例を示している。
【００７７】
下り方向通信では、ＬＬ  ＩＤ識別部２２１にて、フレームの宛先ＭＡＣアドレスに対応したＬＬ  ＩＤをフレームのプリアンブル部分に埋め込んで送信する。フレームをＭＡＣ部２５３へ送信する場合、ＬＬ  ＩＤ＃１が埋め込まれる。ＯＬＴ装置２０２から送信されたフレームは第１〜第３のＯＮＵ装置２０５1〜２０５3のすべてに届くが、ＬＬ  ＩＤ識別部２５１により、自装置宛でない場合は破棄される。自装置宛の場合は、付与されているＬＬ  ＩＤに対応するＭＡＣ部宛に、ＬＬ  ＩＤを除去してから転送し、ＭＰＣＰ部２５６を経由して、図８におけるフレームバッファ部２４３へ送信される。
【００７８】
上り方向通信では、ＯＬＴ装置２０２側のＭＰＣＰ部２２８が、第１〜第３のＯＮＵ装置２０５1〜２０５3からのフレーム送信を制御する。ＯＬＴ装置２０２側のＭＰＣＰ部２２８は、配下に接続されている第１〜第３のＯＮＵ装置２０５1〜２０５3の各ＬＬ  ＩＤ宛に、送信許可時刻と許可データ量を指定するゲートフレームを定期的に送信する。ゲートフレームを受信したＭＰＣＰ部２５６は、ゲートフレームによって指定された時刻に、ゲートフレームによって指定された送信量で、上りデータや送信要求をするレポートフレームをＭＡＣ部２５３または、ＭＡＣ部２５４を経由して、ＬＬ  ＩＤ識別部２５１へ転送する。ＬＬ  ＩＤ識別部２５１は、送信源のＭＡＣ部に対応したＬＬ  ＩＤをフレームのプリアンブル部に埋め込み、送信する。フレームをＭＡＣ部２５３から送信する場合、ＬＬ  ＩＤ＃１が埋め込まれる。フレームを受信したＯＬＴ装置２０２側のＬＬ  ＩＤ識別部２２１は、埋め込まれているＬＬ  ＩＤを検出して、対応するＭＡＣ部へ転送し、ＭＰＣＰ部２２８を経由して、図８におけるフレームバッファ部２１１へ送信する。たとえばＬＬ  ＩＤ＃１が埋め込まれたフレームは、ＭＡＣ部２２３へ転送される。
【００７９】
ＯＬＴ装置２０２側のＭＰＣＰ部２２８は、マルチキャスト・ＬＬ  ＩＤ宛にも定期的にゲートフレームを送信するが、第１のＯＮＵ装置２０５1側の拡張部２５５は、上りデータやレポートフレームを送付しない。第１のＯＮＵ装置２０５1では、拡張部２５５が定期的に保守用のマルチキャスト・ＬＬ  ＩＤ宛てのゲートフレームを定期的に受信することで擬似的なリンクを維持し、ＯＮＵ  ＩＤを登録・管理し続ける。ＯＬＴ装置２０２側の拡張部２２７は、通常の場合、ＭＰＣＰ部２５６が送信してくる上りデータやレポートフレームを受信しなくても、ゲートフレームを送信し続けることで、マルチキャスト・ＬＬ  ＩＤによる擬似的なリンクを維持し、ＯＮＵ  ＩＤを登録・管理し続ける。図９は、ＯＬＴ装置２０２に対して第１および第２のＯＮＵ装置２０５1、２０５2が接続されている場合の例を示しているが、第３のＯＮＵ装置２０５3も同様の機能を有している。
【００８０】
図１４は、光送信機の常時発光と思われる障害が発生した場合のＯＬＴ装置の処理の様子を表わしたものである。図８と共に説明する。
【００８１】
ＯＬＴ装置２０２は、ＧＥ−ＰＯＮシステム２００内で第１〜第３のＯＮＵ装置２０５1〜２０５3のいずれかの光送信機の常時発光と思われる障害が発生したことを検出すると（ステップＳ３４１：Ｙ）、被疑ＯＮＵ装置に対して発光を停止させるコマンドを含めたＯＡＭフレームを送出する。ここでは、被疑ＯＮＵ装置を第１のＯＮＵ装置２０５1と仮定する。この際、ＯＬＴ装置２０２は、ＯＡＭ部２２９にて発光停止させるコマンドを含めたＯＡＭフレームを生成し（ステップＳ３４２）、ＭＰＣＰ部２２８を経由して拡張部２２７に転送する。
【００８２】
拡張部２２７では、被疑ＯＮＵ装置を識別するために、この例では第１のＯＮＵ装置２０５1に与えたＯＮＵ  ＩＤを付与する（ステップＳ３４３）。そして、ＭＡＣ部２２２を送信源として、ＬＬ  ＩＤ識別部２２１にて保守用のマルチキャスト・ＬＬ  ＩＤを付与してから送信し（ステップＳ３４４）、処理を終了する（エンド）。
【００８３】
図１５は、このときＯＬＴ装置から送出されるＯＡＭフレームの構成を表わしたものである。ＯＮＵ  ＩＤとコマンド（Command）はＯＡＭフレームの「Ｄａｔａ／Ｐａｄ」部の先頭に埋め込むこととする。この図１５に示すＯＡＭフレームでは、「ＯＮＵ  ＩＤ」と「Ｃｏｍｍａｎｄ」および「Ｄａｔａ／Ｐａｄ」が合わせて１４９６バイトを超えなければよい。図１５に示した例では「ＯＮＵ  ＩＤ」と「Ｃｏｍｍａｎｄ」が共に１バイトである場合を示している。
【００８４】
図１６は、ＯＬＴ装置からＯＡＭフレームを受信した第１のＯＮＵ装置の処理の様子を表わしたものである。第１のＯＮＵ装置２０５1は、ＯＬＴ装置２０２からＯＡＭフレームを受信すると（ステップＳ３６１：Ｙ）、このＯＡＭフレームを受信したＬＬ  ＩＤ識別部２５１が、保守用のマルチキャスト・ＬＬ  ＩＤ宛のフレームであると識別すると、ＭＡＣ部２５２を経由して、拡張部２５５へ転送する。拡張部２５５は、ＯＡＭフレームに埋め込まれたＯＮＵ  ＩＤと自分自身に与えられたＯＮＵ  ＩＤを比較することで自装置宛であるかを判別する（ステップＳ３６２）。この結果、自装置宛ではないと判別された場合には（Ｎ）、そのフレームを廃棄して（ステップＳ３６３）、処理を終了する（エンド）。
【００８５】
一方、ＯＡＭフレームが自装置宛であると判別された場合には（ステップＳ３６２：Ｙ）、ＯＮＵ  ＩＤという識別子を除去してからＭＰＣＰ部２５６を経由してＯＡＭ部２５７に転送する（ステップＳ３６４）。ＯＡＭ部２５７はフレームを解析し、コマンドのみを制御回路２４５に転送する。制御回路２４５はコマンドにしたがって、光・電気変換部２４１の電源スイッチをオフにする（ステップＳ３６５）。
【００８６】
図１７は、第１のＯＮＵ装置における光・電気変換部とその発光を停止させるための周辺回路を示したものである。光・電気変換部２４１は、第１の光ファイバケーブル２０６1に一端を接続した多重化部２６１と、制御回路２４５から出力される第１〜第３の電源制御信号２７１〜２７３によってそれぞれ個別にオン・オフ制御される第１〜第３のスイッチ２８１〜２８３を備えている。
【００８７】
第１のスイッチ２８１は、一方の接点を接地し、他方の接点を発光ダイオード２６２のアノードに接続している。発光ダイオード２６２のカソードは、発光ダイオード２６２を駆動するドライバ２６３の出力側に接続されている。発光ダイオード２６２の出力光２６４は光信号を多重化する多重化部２６１の入力となる。第１の電源制御信号２７１は、第１のスイッチ２８１の接片をオン・オフ動作させる。
【００８８】
第２のスイッチ２８２は、一方の接点を接地し、他方の接点をドライバ２６３の出力側に接続している。第２の電源制御信号２７２は、第２のスイッチ２８２の接片をオン・オフ動作させる。ドライバ２６３にはＰＯＮ終端部２４２から上りデータ２６６と光出力制御信号２６７が供給されるようになっている。
【００８９】
第３のスイッチ２８３は、一方の接点を接地し、他方の接点をレシーバ２６８に接続している。第３の電源制御信号２７３は、第３のスイッチ２８３の接片をオン・オフ動作させる。レシーバ２６８の入力側には多重化部２６１から出力される入力光２７５を入射するフォトダイオード２７６が配置されている。フォトダイオード２７６のアノードは接地され、カソードからは光信号を電気信号に変換した信号２７７がレシーバ２６８に入力されるようになっている。レシーバ２６８からは下りデータ２７８がＰＯＮ終端部２４２に入力されるようになっている。
【００９０】
制御回路２４５はＰＯＮ終端部２４２のＯＡＭ部２５７と通信を行う他、不揮発性メモリからなる不揮発性記憶回路２７９の読み書きを行うようになっている。不揮発性記憶回路２７９には、発光ダイオード２６２およびドライバ２６３の電源供給を制御する第１および第２のスイッチ２８１、２８２のオン・オフを制御する第１または第２の電源制御信号２７１、２７２の出力制御用フラグが格納されている。この出力制御用フラグが立っているとき、第１および第２のスイッチ２８１、２８２の接片はこれらの設定に対してオフとなる。
【００９１】
図１６に戻って図１７共に説明を続ける。ステップＳ３６５に戻って説明を行う。ＯＡＭ部２５７はレシーバ２６８から送られてくるＯＬＴ装置２０２を起点とした下りデータ２７８を解析し、コマンドのみを制御回路２４５に転送する。制御回路２４５はＯＬＴ装置２０２からのステップＳ３４２（図１４）による発光停止コマンドにしたがって、光・電気変換部２４１の第１または第２のスイッチ２８１、２８２をオフにする。これによって、第１のＯＮＵ装置２０５1の発光は停止する（ステップＳ３６６）。
【００９２】
この発光停止によって、第１のＯＮＵ装置１０５1はゲートメッセージに対するレポートメッセージを送出できない。このため、図９に示したＬＬ  ＩＤ＃１、＃２はリンク断となって、図１６に示した一連の処理が終了する（エンド）。しかしながら、図１７に示したレシーバ２６８側の第３のスイッチ２８３をオフにさせない限りＯＬＴ装置２０２からの下り側通信経路は維持される。したがって、この状態でも第１のＯＮＵ装置２０５1の拡張部２５５は、保守用のマルチキャスト・ＬＬ  ＩＤ宛のフレームのみについて受信可能である。
【００９３】
図１８は、以上説明した第１のＯＮＵ装置が発光停止状態となったときのＧＥ−ＰＯＮシステムにおける論理的な通信経路の状態を示したものである。この図で図８と同一の部分には同一の符号を付しており、適宜説明を省略する。ここでは、第１のＯＮＵ装置２０５1のＰＯＮ終端部２４２1に対して発光停止コマンドを送付した場合の例が示されている。図９と対比すると了解されるように、第１のＯＮＵ装置２０５1に対応するＬＬ  ＩＤ＃１、＃２はリンク断となっているが、第２のＯＮＵ装置２０５2に対応するＬＬ  ＩＤ＃３、＃４はリンクが維持されている。
【００９４】
図１９は、発光が停止中の第１のＯＮＵ装置に対するＯＬＴ装置の処理の様子を表わしたものである。図１８と共に説明する。
【００９５】
図１６のステップＳ３６６で第１のＯＮＵ装置２０５1の発光が停止した状態で、ＯＬＴ装置２０２は第１のＯＮＵ装置２０５1の発光を再び許可するか、障害が生じている限りは発光を永久に停止させることになる。ここでは、第１のＯＮＵ装置２０５1の発光を再び許可する場合を説明する。発光を永久に停止させる場合については、同じ図１９を用いて後に説明する。第１のＯＮＵ装置２０５1の発光を再び許可する場合、ＯＬＴ装置２０２は発光を許可するコマンドを含めたＯＡＭフレームを生成する（ステップＳ３８１）。ＯＬＴ装置２０２はこのＯＡＭフレームをＭＰＣＰ部２２８を経由して拡張部２２７に転送する。拡張部２２７では、発光停止中のＯＮＵ装置に与えられたＯＮＵ  ＩＤをＯＡＭフレームに付与する（ステップＳ３８２）。このＯＡＭフレームは、ＭＡＣ部２２２を送信源として、ＬＬ  ＩＤ識別部２２１で保守用のマルチキャスト・ＬＬ  ＩＤを付与してから発出する（ステップＳ３８３）。拡張部２２７は、発光を許可するコマンドを送付したら、送付した宛先のＯＮＵ装置としての第１のＯＮＵ装置２０５1に割り当てたＯＮＵ  ＩＤをクリアして（ステップＳ３８４）、処理を終了する（エンド）。
【００９６】
ステップＳ３８３で送出したＯＡＭフレームは、既に図１５で示した構成となる。「ＯＮＵ  ＩＤ」と「コマンド（Command）」はＯＡＭフレームの「Ｄａｔａ／Ｐａｄ」部の先頭に埋め込むこととする。「ＯＮＵ  ＩＤ」と「Ｃｏｍｍａｎｄ」と「Ｄａｔａ／Ｐａｄ」が合わせて１４９６バイトを超えないような構成となっていればよい。この図１５では「ＯＮＵ  ＩＤ」と「Ｃｏｍｍａｎｄ」が共に１バイトの場合を示している。
【００９７】
図２０は、発光が停止している状態における、ＯＡＭフレーム受信時の第１のＯＮＵ装置の処理の様子を表わしたものである。図１７および図１８と共に説明する。
【００９８】
第１のＯＮＵ装置２０５1は、ＯＬＴ装置２０２からＯＡＭフレームを受信すると（ステップＳ４０１：Ｙ）、このＯＡＭフレームを受信したＬＬ  ＩＤ識別部２５１1が、保守用のマルチキャスト・ＬＬ  ＩＤ宛のフレームであると識別すると、ＭＡＣ部２５２1を経由して、このＯＡＭフレームを拡張部２５５1へ転送する。拡張部２５５1は、ＯＡＭフレームに埋め込まれたＯＮＵ  ＩＤと自分自身に与えられたＯＮＵ  ＩＤを比較することで自装置宛であるかを判別する（ステップＳ４０２）。この結果、自装置宛ではないと判別された場合には（Ｎ）、そのフレームを廃棄して（ステップＳ４０３）、処理を終了する（エンド）。
【００９９】
これに対して、ＯＡＭフレームが自装置宛であると判別された場合には（ステップＳ４０２：Ｙ）、ＯＮＵ  ＩＤという識別子を除去してからＭＰＣＰ部２５６1を経由してＯＡＭ部２５７1にこのＯＡＭフレームを転送する（ステップＳ４０４）。ＯＡＭ部２５７1はフレームを解析し、コマンドがＯＮＵ装置の発光許可の場合には（ステップＳ４０５：Ｙ）、拡張部２５５1に与えられたＯＮＵ  ＩＤを破棄する。また、ＯＡＭ部２５７1はＭＡＣ部２５２を経由して、ＬＬ  ＩＤ識別部２５１にマルチキャスト・ＬＬ  ＩＤを破棄させる（ステップＳ４０６）。
【０１００】
続いて、ＯＡＭ部２５７1は、発光許可のこのコマンドのみを制御回路２４５1に転送する。コマンドを受信した制御回路２４５1は、このコマンドに従って、図１７に示した第１および第２のスイッチ２８１、２８２をオンにする（ステップＳ４０７）。これによって、第１のＯＮＵ装置２０５1の発光は許可され（ステップＳ４０８）、第１のＯＮＵ装置１０５1に対する発光を許可する処理が終了する（エンド）。すなわち、これ以後、ＰＯＮ終端部２４２から上りデータ２６６がドライバ２６３に供給されて発光ダイオード２６２が発光すると、改めてディスカバリ・プロセスを経て、第１のＯＮＵ装置２０５1に再度、マルチキャスト・ＬＬ  ＩＤとＯＮＵ  ＩＤが与えられる。
【０１０１】
次に、図１９および図２０を用いて、ＯＬＴ装置から、ＯＮＵ装置の再起動をしても２度と発光させないような設定を施すコマンドを含めたフレーム転送について説明する。図１７および図１８と共に説明する。
【０１０２】
ＯＬＴ装置２０２のＯＡＭ部２２９は、発光を永久停止させるコマンドを含めたＯＡＭフレームを生成し（図１９ステップＳ３８１）、ＭＰＣＰ部２２８を経由して拡張部２２７に転送する。拡張部２２７では、発光停止中のＯＮＵ  ＩＤを付与し（ステップＳ３８２）、ＭＡＣ部２２２を送信源として、ＬＬ  ＩＤ識別部２２１にて保守用のマルチキャスト・ＬＬ  ＩＤを付与してから送信する（ステップＳ３８３）。
【０１０３】
ステップＳ３８３で送出したＯＡＭフレームは、既に図１５で示した構成となる。「ＯＮＵ  ＩＤ」と「コマンド（Command）」はＯＡＭフレームの「Ｄａｔａ／Ｐａｄ」部の先頭に埋め込むこととする。「ＯＮＵ  ＩＤ」と「Ｃｏｍｍａｎｄ」と「Ｄａｔａ／Ｐａｄ」が合わせて１４９６バイトを超えないような構成となっていればよい。この図１５では「ＯＮＵ  ＩＤ」と「Ｃｏｍｍａｎｄ」が共に１バイトの場合を示している。
【０１０４】
拡張部２２７は、発光を永久停止するコマンドを送付したら、送付した宛先のＯＮＵ装置としての第１のＯＮＵ装置２０５1に割り当てたＯＮＵ  ＩＤをクリアして（ステップＳ３８４）、処理を終了する（エンド）。
【０１０５】
更に図２０を用いて、発光を永久停止するコマンドが送られてきた場合のＯＡＭフレーム受信時の第１のＯＮＵ装置の処理の様子を説明する。このＯＡＭフレームを受信したＬＬ  ＩＤ識別部２５１1は、保守用のマルチキャスト・ＬＬ  ＩＤ宛のフレームであると識別すると、ＭＡＣ部２５２を経由して、このＯＡＭフレームを拡張部２５５1へ転送する。拡張部２５５1は、ＯＡＭフレームに埋め込まれたＯＮＵ  ＩＤと自分自身に与えられたＯＮＵ  ＩＤを比較することで自装置宛であるかを判別する（ステップＳ４０２）。この結果、自装置宛ではないと判別された場合には（Ｎ）、そのフレームを廃棄して（ステップＳ４０３）、処理を終了する（エンド）。
【０１０６】
これに対して、ＯＡＭフレームが自装置宛であると判別された場合には（ステップＳ４０２：Ｙ）、ＯＮＵ  ＩＤという識別子を除去してからＭＰＣＰ部２５６1を経由してＯＡＭ部２５７1にこのＯＡＭフレームを転送する（ステップＳ４０４）。ＯＡＭ部２５７1はフレームを解析し、コマンドがＯＮＵ装置の発光の永久停止の場合（ステップＳ４０５：Ｎ）、拡張部２５５1はマルチキャスト・ＬＬ  ＩＤとＯＮＵ  ＩＤを破棄する（ステップＳ４０９）。
【０１０７】
続いて、ＯＡＭ部２５７1は、発光の永久停止のこのコマンドのみを制御回路２４５1に転送する。コマンドを受信した制御回路２４５1は、コマンドにしたがって、図１７に示した不揮発性記憶回路２７９にフラグを立てる（ステップＳ４１０）。このとき、図１７に示す光・電気変換部２４１のレシーバ２６８側の第３のスイッチ２８３をオフにしてもよい。以降、第１のＯＮＵ装置２０５1の再起動時に制御回路２４５は不揮発性記憶回路２７９を監視して、フラグが立っている場合は発光ダイオード２６２およびドライバ２６３の電源供給用の第１および第２のスイッチ２８１、２８２をオンさせないこととして、永久的な発光停止となる（ステップＳ４１１）。これにより第１のＯＮＵ装置２０５1に対する発光を永久停止する処理が終了する（エンド）。
【０１０８】
以上説明したように、本実施の形態のＧＥ−ＰＯＮシステム２００は、次のような効果がある。まず、本実施の形態によれば、下り方向のロジカルリンクを常時維持することができる。これにより、ＯＬＴ装置２０２は、発光を強制的に停止させたＯＮＵ装置２０５に対して、発光を再び許可させるコマンドを送付することができるという第１の効果がある。また、ＯＬＴ装置は、発光を強制的に一時停止させたＯＮＵ装置に対して、発光を永久的に停止させるコマンドを送付できるという第２の効果がある。
【０１０９】
また、本実施の形態によればマルチキャスト・ＬＬ  ＩＤを用いることにしている。したがって、本実施の形態では保守用としてＯＬＴ装置に設定するＭＡＣ部を、複数用意する必要がないという第３の効果がある。
【０１１０】
＜本発明の変形例＞
【０１１１】
図２１は、以上説明した実施の形態の変形例におけるＧＥ−ＰＯＮシステムの要部の構成を表わしたものである。この変形例のＧＥ−ＰＯＮシステム２００Ａは、ＯＡＭコマンドを送付する際に、ブロードキャスト（BroadCast）・ＬＬ  ＩＤを使用するようになっている。このため、ＯＬＴ装置２０２Ａ側のＰＯＮ終端部２１３Ａでは、図９に示したマルチキャスト・ＬＬ  ＩＤの割り当て用のＭＡＣ部２２２がブロードキャスト・ＬＬ  ＩＤ用のＭＡＣ部２２２Ａに変更され、同様にＭＡＣ部２２３〜２２６、……がＭＡＣ部２２３Ａ〜２２６Ａ、……に変更され、拡張部２２７が拡張部２２７Ａに変更されている。また、第１〜第３のＯＮＵ装置２０５1Ａ〜２０５3Ａ（図２１では、第１および第２のＯＮＵ装置のみを図示。）側のＰＯＮ終端部２４２1Ａ、２４２2Ａは、図９に示したマルチキャスト・ＬＬ  ＩＤ割り当て用のＭＡＣ部２５２1、２５２2がブロードキャスト・ＬＬ  ＩＤ用のＭＡＣ部２５２1Ａ、２５２2Ａに変更され、同様にＭＡＣ部２５３1、２５４1、……、あるいはＭＡＣ部２５３2、２５４2、……がＭＡＣ部２５３1Ａ、２５４1Ａ、……、あるいは２５３2Ａ、２５４2Ａ、……に変更され、拡張部２５５1、２５５2が拡張部２５５1Ａ、２５５2Ａに変更されている。
【０１１２】
この変形例のＧＥ−ＰＯＮシステム２００Ａでは、ＯＬＴ装置２０２Ａおよび第１のＯＮＵ装置２０５1Ａに存在するすべてのＭＡＣ部２２２Ａ〜２２６Ａ、ＭＡＣ部２５２1Ａ〜２５４1Ａに対して、通常のＬＬ  ＩＤを割り当てる。拡張部２２７Ａは、各ＭＡＣ部２２２Ａ〜２２６Ａと、ＭＰＣＰ部２２８との間に接続され、ＯＬＴ装置２０２Ａの全ＭＡＣ部２２２Ａ〜２２６Ａに対して、ＭＰＣＰ部２２８がＩＥＥＥ８０２．３ａｈに従って制御する機能を拡張する。また、拡張部２２７Ａは、ＯＬＴ装置２０２Ａの配下に接続される第１のＯＮＵ装置２０５1Ａに対してＯＮＵ  ＩＤを付与して管理する。
【０１１３】
ＯＬＴ装置２０２ＡがＯＡＭフレームを送出する際には、ＯＮＵ  ＩＤを付与し、保守用のブロードキャスト・ＬＬ  ＩＤ宛に送信する。その際、ＭＡＣ部２２２ＡとＭＡＣ部２５２1Ａおよび、ＭＡＣ部２２３ＡとＭＡＣ部２５３1Ａのロジカルリンクが切断されていても、ブロードキャスト・ＬＬ  ＩＤ宛に送出する。
【０１１４】
拡張部２５５1Ａも同様に、各ＭＡＣ部２５２1Ａ〜２５４1Ａ、……と、ＭＰＣＰ部２５６との間に接続され、第１のＯＮＵ装置２０５1Ａの全ＭＡＣ部２５２1Ａ〜２５４1Ａ、……に対して、ＭＰＣＰ部２５６1がＩＥＥＥ８０２．３ａｈに従って制御する機能を拡張する。また、拡張部２５５1Ａは拡張部２２７Ａより与えられたＯＮＵ  ＩＤを管理する。更に、拡張部２５５1ＡはＯＡＭフレームを受信する際に、ＯＡＭフレーム内のＯＮＵ  ＩＤを解析し、自装置宛か自装置宛でないかを判別する。その際、拡張部２５５1ＡはＭＡＣ部２２２ＡとＭＡＣ部２５２1Ａおよび、ＭＡＣ部２２３ＡとＭＡＣ部２５３1Ａのロジカルリンクが切断されていても、ブロードキャスト・ＬＬ  ＩＤ宛のフレームを受信する。他のＯＮＵ装置２０５Ａについても同様である。
【０１１５】
次に、図２１を基にして、図１０を参照しながら、この変形例のＯＬＴ装置２０２Ａおよび第１のＯＮＵ装置２０５1Ａの通信経路の確立について説明する。
【０１１６】
第１のＯＮＵ装置２０５1がＧＥ−ＰＯＮシステム２００Ａに接続されると、ＯＬＴ装置２０２Ａ側のＭＰＣＰ部２２８が送出するディスカバリ・ゲート・フレーム（図１０のステップＳ３０１）に対して、第１のＯＮＵ装置２０５1Ａ側のＭＰＣＰ部２５６1はレジスタ・リクエスト・フレームを送出する（図１０のステップＳ３０２）。このとき拡張部２５５1Ａは、第１〜第３のＯＮＵ装置２０５1Ａ〜２０５3Ａに対して１つだけ与えられ、同一のＧＥ−ＰＯＮシステム２００Ａ内で重複することのないユニークな識別子（ＯＮＵ  ＩＤ）を要求するコマンドを埋め込む。ただし、このコマンドを埋め込むレジスタ・リクエスト・フレームを送出するＭＡＣ部は、１台のＯＮＵ装置につき１箇所とする。この変形例では、ＭＡＣ部２５２1Ａが送付する場合の例を示している。すでにＯＮＵ  ＩＤが登録されている場合は、登録済みのＯＮＵ  ＩＤを一度クリアしてからレジスタ・リクエスト・フレームを送出する。ここでレジスタ・リクエスト・フレームの構成は、先に説明した実施の形態と同様である。
【０１１７】
ＯＮＵ  ＩＤを要求するコマンドを含めたレジスタ・リクエスト・フレームを受信した拡張部２２７Ａは、ＭＰＣＰ部２２８が送出するレジスタ・フレームにＯＮＵ  ＩＤを埋め込み、ＭＡＣ部２５２1Ａとロジカルリンクを設定するＭＡＣ部２２２Ａを送信源として送出する（図１０のステップＳ３０３）。ただし、すでにＭＡＣ部２５２1Ａと関連付けられたＯＮＵ  ＩＤが登録されている場合は、登録済みのＯＮＵ  ＩＤを一度クリアし、新たにＯＮＵ  ＩＤを埋め込んだレジスタ・フレームを送出する。ここで、レジスタ・フレームの構成は、先の実施の形態と同様である。
【０１１８】
拡張部２５５1Ａは、レジスタ・フレームを受信したら、フレーム内のＯＮＵ  ＩＤ部から、与えられたＯＮＵ  ＩＤを抽出し、再度、レジスタ・リクエスト・フレームを送付または、第１のＯＮＵ装置２０５1Ａの再起動または、発光許可コマンドを受信または、発光の永久停止コマンドを受信するまで、このＯＮＵ  ＩＤを登録・管理する。その後、ＭＰＣＰ部２２８から送られてくるゲート・フレーム（図１０のステップＳ３０４）によって決められた時刻に、ＭＰＣＰ部２５６1がＬＬ  ＩＤを登録したことを示すレジスタ・ＡＣＫ・フレームを、ＭＡＣ部２５２1Ａを送信源として送出する（図１０のステップＳ３０５）。このとき拡張部２５５1Ａは、レジスタ・ＡＣＫ・フレームにＯＮＵ  ＩＤを埋め込む。
【０１１９】
図２２は、この変形例におけるレジスタ・ＡＣＫ・フレームの構成を表わしたものである。ＯＮＵ  ＩＤは、レジスタ・ＡＣＫ（Register ACK）・フレームの「Ｐａｄ／Ｒｅｓｅｒｖｅｄ」部の先頭に埋め込まれる。図２２では、「ＯＮＵ  ＩＤ」が１バイトの場合の例を示している。この例では、「ＯＮＵ  ＩＤ」と「Ｐａｄ／Ｒｅｓｅｒｖｅｄ」部を合わせて３５バイトを超えなければよい。
【０１２０】
図２１に戻って説明を続ける。ＯＮＵ  ＩＤが埋め込まれたレジスタ・ＡＣＫ・フレームを受信した拡張部２２７Ａは、第１のＯＮＵ装置２０５1ＡがＯＮＵ  ＩＤを登録したことを検知し、レジスタ・ＡＣＫ・フレーム内に埋め込まれたＯＮＵ  ＩＤと、このフレームの送信源であるＭＡＣ部２５２1Ａを関連付けて管理する。以後、登録済みのＭＡＣ部２５２1Ａから再度、ＯＮＵ  ＩＤの付与を要求するレジスタ・リクエスト・フレームの受信または、ＯＬＴ装置２０２Ａが再起動または、第１のＯＮＵ装置２０５1Ａに対して発光許可コマンドの送出または、発光を永久停止させるコマンドを送出するまでＯＮＵ  ＩＤを登録・管理しておく。
【０１２１】
次に、図２１を参照しながら、ブロードキャスト・ＬＬ  ＩＤを用いたＯＡＭフレームの送付手順について説明する。
【０１２２】
ＯＬＴ装置２０２Ａが発光停止または、発光許可または、発光の永久停止コマンドを第１のＯＮＵ装置２０５1Ａ送付するものとする。この場合、ＯＡＭ部２２９にてコマンドを含んだＯＡＭフレームを生成し、ＭＰＣＰ部２２８経由で拡張部２２７Ａに転送される。拡張部２２７Ａは、ＯＡＭフレームに被疑ＯＮＵ装置のＯＮＵ  ＩＤを埋め込み、すべてのＭＡＣ部２２２Ａ〜２２６Ａ、……を送信源として、ＬＬ  ＩＤ識別部２２１にてブロードキャスト・ＬＬ  ＩＤを付与してから送出する。この被疑ＯＮＵ装置を、ここでは第１のＯＮＵ装置２０５1Ａとする。
【０１２３】
この場合、第１のＯＮＵ装置２０５1ＡのＬＬ  ＩＤ識別部２５１1Ａは、受信したＯＡＭフレームがブロードキャスト・ＬＬ  ＩＤ宛であると識別すると、ＬＬ  ＩＤを除去して各ＭＡＣ部２５２1Ａ、ＭＡＣ部２５３1Ａを経由して、このＯＡＭフレームを拡張部２５５1Ａへ転送する。ブロードキャスト・ＬＬ  ＩＤ宛のＯＡＭフレームを受信した拡張部２５５1Ａは、ＯＡＭフレーム内のＯＮＵ  ＩＤを検出して、自装置宛でない場合は破棄する。拡張部２５５1Ａは、そのＯＡＭフレームが自装置宛の場合には、ＯＮＵ  ＩＤを除去してからＭＰＣＰ部２５６1経由で、ＯＡＭ部２５７1に転送する。また、拡張部２５５1Ａは、ＯＡＭフレームが発光許可または、発光を永久停止させるコマンドを含んでいる場合には、このＯＮＵ  ＩＤを破棄する。
【０１２４】
これ以後における図１７に示した光・電気変換部２４１での発光を制御する回路の動作については、既に説明した実施の形態と同様である。このため、この部分の説明は省略する。
【０１２５】
なお、以上説明した本発明の実施の形態では第１および第２のスイッチ２８１、２８２のオン・オフを共に行うことにしたが、これらの一方のみをオン・オフ制御してもよい。また、回路の構成によってはこれら第１および第２のスイッチ２８１、２８２の一方の配置を省略することも可能である。本発明の変形例においても同様である。更に実施の形態では第１〜第３のＯＮＵ装置２０５1〜２０５3の合計３台を使用してのＧＥ−ＰＯＮシステム２００を構成したが、これは図を簡略化するためのものであり、ＯＮＵ装置２０５の台数はこれに限定されるものでないことは当然である。
【図面の簡単な説明】
【０１２６】
【図１】本発明のＰＯＮシステムのクレーム対応図である。
【図２】本発明の他のＰＯＮシステムのクレーム対応図である。
【図３】本発明のＯＮＵ装置のクレーム対応図である。
【図４】本発明のＰＯＮシステムにおける拡張機能実行方法のクレーム対応図である。
【図５】本発明の他のＰＯＮシステムにおける拡張機能実行方法のクレーム対応図である。
【図６】本発明のＰＯＮシステムにおける拡張機能実行プログラムのクレーム対応図である。
【図７】本発明の他のＰＯＮシステムにおける拡張機能実行プログラムのクレーム対応図である。
【図８】本発明の一実施の形態によるＧＥ−ＰＯＮシステムの構成を表わしたシステム構成図である。
【図９】本実施の形態でＯＬＴ装置とＯＮＵ装置のＰＯＮ終端部を抜き出して示した要部説明図である。
【図１０】本実施の形態で通常のＬＬ  ＩＤを登録するディスカバリ・プロセスの説明図である。
【図１１】本実施の形態でマルチキャスト・ＬＬ  ＩＤを登録するディスカバリ・プロセスを示した説明図である。
【図１２】本実施の形態のレジスタ・リクエスト・フレームの構成を表わした説明図である。
【図１３】本実施の形態のレジスタ・フレームの構成を表わした説明図である。
【図１４】本実施の形態で光送信機の常時発光と思われる障害が発生した場合のＯＬＴ装置の処理を示す流れ図である。
【図１５】本実施の形態でＯＬＴ装置から送出されるＯＡＭフレームの構成を示した説明図である。
【図１６】本実施の形態でＯＬＴ装置からＯＡＭフレームを受信した第１のＯＮＵ装置の処理を表わした流れ図である。
【図１７】本実施の形態で第１のＯＮＵ装置における光・電気変換部とその発光を停止させるための周辺回路を示したブロック図である。
【図１８】本実施の形態で第１のＯＮＵ装置が発光停止状態となったときのＧＥ−ＰＯＮシステムの論理的な通信経路の状態を示した要部説明図である。
【図１９】本実施の形態で発光が停止中の第１のＯＮＵ装置に対するＯＬＴ装置の処理を表わした流れ図である。
【図２０】本実施の形態で発光が停止している状態における、ＯＡＭフレーム受信時の第１のＯＮＵ装置の処理を表わした流れ図である。
【図２１】本実施の形態の変形例におけるＧＥ−ＰＯＮシステムの要部を示す要部説明図である。
【図２２】この変形例におけるレジスタ・ＡＣＫ・フレームの構成を表わした説明図である。
【図２３】本発明の第１の関連技術におけるＧＥ−ＰＯＮシステムの構成の一例を示すシステム構成図である。
【符号の説明】
【０１２７】
１０、２０  ＰＯＮシステム
１１、２１、２０２、２０２Ａ  ＯＬＴ装置
１２、２２、３０、２０５、２０５Ａ  ＯＮＵ装置
３１  発光手段
３２  機能拡張用フレーム受信手段
３３  コマンド抽出手段
３４  上り方向通信制御スイッチ
３５  上り方向通信制御スイッチ制御手段
４０、５０  ＰＯＮシステムにおける拡張機能実行方法
４１、５１  ディスカバリ・プロセス実行ステップ
４２、５２  機能拡張用通信路形成ステップ
４３、５３  機能拡張用フレーム作成ステップ
４４、５４  機能拡張用フレーム送出ステップ
４５、５５  機能拡張用フレーム受信ステップ
４６、５６  機能拡張用識別子比較ステップ
４７  拡張機能識別子抽出ステップ
４８  拡張機能実行ステップ
５７  コマンド抽出ステップ
５８  発光停止ステップ
５９  機能拡張用通信路保持ステップ
６０  発光復帰ステップ
７０、８０  ＰＯＮシステムにおける拡張機能実行プログラム
７１  ディスカバリ・プロセス実行処理
７２  機能拡張用通信路形成処理
７３  機能拡張用フレーム作成処理
７４  機能拡張用フレーム送出処理
８１  機能拡張用識別子保存処理
８２  機能拡張用識別子比較処理
８３  コマンド抽出処理
８４  コマンド実行処理
２００、２００Ａ  ＧＥ−ＰＯＮシステム
２０１  上位機器
２０３  光カプラ
２０４、２０６  光ファイバケーブル
２０７  端末機器
２１３、２４２  ＰＯＮ終端部
２１４、２４１  光・電気変換部
２２１、２５１  ＬＬ  ＩＤ識別部
２２２〜２２６、２２２Ａ〜２２６Ａ、２５２〜２５４、２５２Ａ〜２５４Ａ  ＭＡＣ部
２２８、２５６  ＭＰＣＰ部
２２９、２５７  ＯＡＭ
２６２  発光ダイオード
２６３  ドライバ
２７６  フォトダイオード
２７９  不揮発性記憶回路
２８１  第１のスイッチ
２８２  第２のスイッチ
２８３  第３のスイッチ
【図１】
2010141487.tif 000003
【図２】
2010141487.tif 000004
【図３】
2010141487.tif 000005
【図４】
2010141487.tif 000006
【図５】
2010141487.tif 000007
【図６】
2010141487.tif 000008
【図７】
2010141487.tif 000009
【図８】
2010141487.tif 000010
【図９】
2010141487.tif 000011
【図１０】
2010141487.tif 000012
【図１１】
2010141487.tif 000013
【図１２】
2010141487.tif 000014
【図１３】
2010141487.tif 000015
【図１４】
2010141487.tif 000016
【図１５】
2010141487.tif 000017
【図１６】
2010141487.tif 000018
【図１７】
2010141487.tif 000019
【図１８】
2010141487.tif 000020
【図１９】
2010141487.tif 000021
【図２０】
2010141487.tif 000022
【図２１】
2010141487.tif 000023
【図２２】
2010141487.tif 000024
【図２３】
2010141487.tif 000025